(57)【要約】  情報を送信（report）するための端末装置（ＵＥ）が記載される。ＵＥは、プロセッサ、およびプロセッサと電子通信を行うメモリに格納された命令を含む。ＵＥは、異なるＴＤＤ  ＵＬ−ＤＬ構成を用いたＴＤＤキャリアアグリゲーションのために、第１のＵＬ−ＤＬ構成を有する第１のセルを選択する。ＵＥは、また、第１のＵＬ−ＤＬ構成を有する第１のセルに対する参照上り下りリンク（ＵＬ−ＤＬ）構成を確定する。ＵＥは、さらに、上りリンク制御情報（ＵＣＩ）伝送用のセルを確定する。ＵＥは、さらに、ＵＣＩ伝送用のセルの第１の上りリンク・サブフレームを選択する。加えて、ＵＥは、第１のセルの、ＵＣＩ伝送用のセルの第１の上りリンク・サブフレームへの第１の下りリンク・サブフレーム・アソシエーション・セットを確定する。ＵＥは、さらに、アグリゲートされた情報を生成するために、第１のアソシエーション・セットに基づいて、第１のセルに対応する情報をアグリゲートする。ＵＥは、また、アグリゲートされた情報をＵＣＩ伝送用のセルの第１の上りリンク・サブフレーム上で送信（report）する。
2014528658.tif 000002
【特許請求の範囲】
【請求項１】
情報を送信（report）するための端末装置（ＵＥ）であって、
プロセッサと、
前記プロセッサと電子通信を行うメモリと、
前記メモリに格納された命令とを備え、
前記命令は、
異なるＴＤＤ  ＵＬ−ＤＬ構成を用いたＴＤＤキャリアアグリゲーションのために、第１の上り下りリンク（ＵＬ−ＤＬ）構成を有する第１のセルを選択し、
前記第１のＵＬ−ＤＬ構成を有する前記第１のセルに対する参照ＵＬ−ＤＬ構成を確定し、
上りリンク制御情報（ＵＣＩ）伝送用のセルを確定し、
ＵＣＩ伝送用の前記セルの第１の上りリンク・サブフレームを選択し、
前記第１のセルの、ＵＣＩ伝送用の前記セルの前記第１の上りリンク・サブフレームへの第１の下りリンク・サブフレーム・アソシエーション・セットを確定し、
アグリゲートされた情報を生成するために、アソシエーションの前記第１のセットに基づいて、前記第１のセルに対応する情報をアグリゲートし、
前記アグリケートされた情報をＵＣＩ伝送用の前記セルの前記第１の上りリンク・サブフレーム上で送信（report）する
ために実行可能であることを特徴とする端末装置。
【請求項２】
前記アグリゲートされた情報は、肯定応答／否定応答（ＡＣＫ／ＮＡＣＫ）情報を備えることを特徴とする請求項１に記載の端末装置。
【請求項３】
ＵＣＩ伝送用の前記セルは、特定の上りリンク・サブフレームに対して最小セル・インデックスを持つセルであることを特徴とする請求項１に記載の端末装置。
【請求項４】
前記第１のセルが前記プライマリセル（ＰＣｅｌｌ）である場合、前記ＰＣｅｌｌの前記ＵＬ−ＤＬ構成が前記参照ＵＬ−ＤＬ構成であることを特徴とする請求項１に記載の端末装置。
【請求項５】
前記第１のセルが前記セカンダリセル（ＳＣｅｌｌ）である場合、前記ＰＣｅｌｌの前記ＵＬ−ＤＬ構成が前記参照ＵＬ−ＤＬ構成であることを特徴とする請求項１に記載の端末装置。
【請求項６】
前記参照ＵＬ−ＤＬ構成および前記第１のＵＬ−ＤＬ構成は、同じＵＬ−ＤＬ構成または異なるＵＬ−ＤＬ構成のうちの１つであることを特徴とする請求項１に記載の端末装置。
【請求項７】
前記第１のセルに対する前記参照ＵＬ−ＤＬ構成は、前記第１のＵＬ−ＤＬ構成であることを特徴とする請求項１に記載の端末装置。
【請求項８】
端末装置（ＵＥ）によって情報を送信（report）するための方法であって、
異なるＴＤＤ  ＵＬ−ＤＬ構成を用いたＴＤＤキャリアアグリゲーションのために、第１の上り下りリンク（ＵＬ−ＤＬ）構成を有する第１のセルを選択するステップと、
前記第１のＵＬ−ＤＬ構成を有する前記第１のセルに対する参照ＵＬ−ＤＬ構成を確定するステップと、
上りリンク制御情報（ＵＣＩ）伝送用のセルを確定するステップと、
ＵＣＩ伝送用の前記セルの第１の上りリンク・サブフレームを選択するステップと、
前記第１のセルの、ＵＣＩ伝送用の前記セルの前記第１の上りリンク・サブフレームへの第１の下りリンク・サブフレーム・アソシエーション・セットを確定するステップと、
アグリゲートされた情報を生成するために、第１のアソシエーション・セットに基づいて、前記第１のセルに対応する情報をアグリゲートするステップと、
前記アグリゲートされた情報をＵＣＩ伝送用の前記セルの前記第１の上りリンク・サブフレーム上で送信（report）するステップとを備えることを特徴とする方法。
【請求項９】
前記アグリゲートされた情報は、肯定応答／否定応答（ＡＣＫ／ＮＡＣＫ）情報を備えることを特徴とする請求項８に記載の方法。
【請求項１０】
ＵＣＩ伝送用の前記セルは、特定の上りリンク・サブフレームに対して最小セル・インデックスを持つセルであることを特徴とする請求項８に記載の方法。
【請求項１１】
前記第１のセルが前記プライマリセル（ＰＣｅｌｌ）である場合、前記ＰＣｅｌｌの前記ＵＬ−ＤＬ構成が前記参照ＵＬ−ＤＬ構成であることを特徴とする請求項８に記載の方法。
【請求項１２】
前記第１のセルが前記セカンダリセル（ＳＣｅｌｌ）である場合、前記ＰＣｅｌｌの前記ＵＬ−ＤＬ構成が前記参照ＵＬ−ＤＬ構成であることを特徴とする請求項８に記載の方法。
【請求項１３】
前記参照ＵＬ−ＤＬ構成および前記第１のＵＬ−ＤＬ構成は、同じＵＬ−ＤＬ構成および異なるＵＬ−ＤＬ構成のうちの１つであることを特徴とする請求項８に記載の方法。
【請求項１４】
前記第１のセルに対する前記参照ＵＬ−ＤＬ構成は、前記第１のＵＬ−ＤＬ構成であることを特徴とする請求項８に記載の方法。
【請求項１５】
情報を受信するための基地局装置（ｅＮＢ）であって、
プロセッサと、
前記プロセッサと電子通信を行うメモリと、
前記メモリに格納された命令とを備え、
前記命令は、
異なるＴＤＤ  ＵＬ−ＤＬ構成を用いたＴＤＤキャリアアグリゲーションのために、第１の上り下りリンク（ＵＬ−ＤＬ）構成を有する第１のセルを選択し、
前記第１のＵＬ−ＤＬ構成を有する前記第１のセルに対する参照ＵＬ−ＤＬ構成を確定し、
上りリンク制御情報（ＵＣＩ）受信用のセルを確定し、
ＵＣＩ受信用の前記セルの第１の上りリンク・サブフレームを選択し、
前記第１のセルの、ＵＣＩ受信用の前記セルの前記第１の上りリンク・サブフレームへの第１の下りリンク・サブフレーム・アソシエーション・セットを確定し、
アグリゲートされた情報をＵＣＩ受信用の前記セルの前記第１の上りリンク・サブフレーム上で受信し
前記第１のアソシエーション・セットに基づいて、前記アグリゲートされた情報をデアグリゲートする
ために実行可能であることを特徴とする基地局装置。
【請求項１６】
前記アグリゲートされた情報は、肯定応答／否定応答（ＡＣＫ／ＮＡＣＫ）情報を備えることを特徴とする請求項１５に記載の基地局装置。
【請求項１７】
ＵＣＩ伝送用の前記セルは、特定の上りリンク・サブフレームに対して最小セル・インデックスを持つセルであることを特徴とする請求項１５に記載の基地局装置。
【請求項１８】
前記第１のセルが前記プライマリセル（ＰＣｅｌｌ）である場合、前記ＰＣｅｌｌの前記ＵＬ−ＤＬ構成が前記参照ＵＬ−ＤＬ構成であることを特徴とする請求項１５に記載の基地局装置。
【請求項１９】
前記第１のセルが前記セカンダリセル（ＳＣｅｌｌ）である場合、前記ＰＣｅｌｌの前記ＵＬ−ＤＬ構成が前記参照ＵＬ−ＤＬ構成であることを特徴とする請求項１５に記載の基地局装置。
【請求項２０】
前記参照ＵＬ−ＤＬ構成および前記第１のＵＬ−ＤＬ構成は、同じＵＬ−ＤＬ構成および異なるＵＬ−ＤＬ構成のうちの１つであることを特徴とする請求項１５に記載の基地局装置。
【請求項２１】
前記第１のセルに対する前記参照ＵＬ−ＤＬ構成は、前記第１のＵＬ−ＤＬ構成であることを特徴とする請求項１５に記載の基地局装置。
【請求項２２】
基地局装置（ｅＮＢ）によって情報を受信するための方法であって、
異なるＴＤＤ  ＵＬ−ＤＬ構成を用いたＴＤＤキャリアアグリゲーションのために、第１の上り下りリンク（ＵＬ−ＤＬ）構成を有する第１のセルを選択するステップと、
前記第１のＵＬ−ＤＬ構成を有する前記第１のセルに対する参照ＵＬ−ＤＬ構成を確定するステップと、
上りリンク制御情報（ＵＣＩ）受信用のセルを確定するステップと、
ＵＣＩ受信用の前記セルの第１の上りリンク・サブフレームを選択するステップと、
前記第１のセルの、ＵＣＩ受信用の前記セルの前記第１の上りリンク・サブフレームへの第１の下りリンク・サブフレーム・アソシエーション・セットを確定するステップと、
アグリゲートされた情報をＵＣＩ受信用の前記セルの前記第１の上りリンク・サブフレーム上で受信するステップと、
アソシエーションの前記第１のセットに基づいて、前記アグリゲートされた情報をデアグリゲートするステップとを備えることを特徴とする方法。
【請求項２３】
前記アグリゲートされた情報は、肯定応答／否定応答（ＡＣＫ／ＮＡＣＫ）情報を備えることを特徴とする請求項２２に記載の方法。
【請求項２４】
ＵＣＩ伝送用の前記セルは、特定の上りリンク・サブフレームに対して最小セル・インデックスを持つセルであることを特徴とする請求項２２に記載の方法。
【請求項２５】
前記第１のセルが前記プライマリセル（ＰＣｅｌｌ）である場合、前記ＰＣｅｌｌの前記ＵＬ−ＤＬ構成が前記参照ＵＬ−ＤＬ構成であることを特徴とする請求項２２に記載の方法。
【請求項２６】
前記第１のセルが前記セカンダリセル（ＳＣｅｌｌ）である場合、前記ＰＣｅｌｌの前記ＵＬ−ＤＬ構成が前記参照ＵＬ−ＤＬ構成であることを特徴とする請求項２２に記載の方法。
【請求項２７】
前記参照ＵＬ−ＤＬ構成および前記第１のＵＬ−ＤＬ構成は、同じＵＬ−ＤＬ構成および異なるＵＬ−ＤＬ構成のうちの１つであることを特徴とする請求項２２に記載の方法。
【請求項２８】
前記第１のセルに対する前記参照ＵＬ−ＤＬ構成は、前記第１のＵＬ−ＤＬ構成であることを特徴とする請求項２２に記載の方法。
【発明の詳細な説明】
【技術分野】
【０００１】
本開示は、一般に通信システムに関する。より具体的には、本開示は、上りリンク情報を送信（report）するためのデバイスに関する。
【背景技術】
【０００２】
ワイヤレス通信デバイスは、消費者ニーズを満たし、可搬性と便利さとを改善するために、より小さく、より強力になった。消費者は、ワイヤレス通信デバイスに依存するようになり、高信頼性のサービス、カバレッジエリアの拡大、および機能性の増加を期待するようになった。ワイヤレス通信システムは、多くのワイヤレス通信デバイスに通信を提供し、デバイスのそれぞれが基地局によるサービスを享受する。基地局は、ワイヤレス通信デバイスと通信する固定局とすればよい。
【０００３】
ワイヤレス通信デバイスが進歩するにつれて、通信容量、速度、フレキシビリティおよび／または効率の向上が求められてきた。しかしながら、通信容量、速度、フレキシビリティおよび／または効率の向上は、いくつかの問題を提起することがある。
【０００４】
例えば、ワイヤレス通信デバイスは、通信構造を用いて１つ以上のデバイスと通信する。しかしながら、用いられる通信構造は、限られたフレキシビリティおよび／または効率を提供するにすぎない。この議論で説明されるように、通信のフレキシビリティおよび／または効率を向上させるシステムおよび方法が有益である。
【発明の概要】
【課題を解決するための手段】
【０００５】
本発明に従って、情報を送信（report）するための端末装置（ＵＥ：user equipment）が提供される。ＵＥは、プロセッサと、プロセッサと電子通信を行うメモリと、メモリに格納された命令とを備え、命令は、異なるＴＤＤ上り下りリンク（ＵＬ−ＤＬ：uplink‐downlink）構成を用いたＴＤＤキャリアアグリゲーションにおいて、第１のＵＬ−ＤＬ構成を有する第１のセルを選択し、第１のＵＬ−ＤＬ構成を有する第１のセルに対する参照ＵＬ−ＤＬ構成を確定し、上りリンク制御情報（ＵＣＩ：uplink control information）伝送用のセルを確定し、ＵＣＩ伝送用のセルの第１の上りリンク・サブフレームを選択し、第１のセルの、ＵＣＩ伝送用のセルの第１の上りリンク・サブフレームへの第１の下りリンク・サブフレーム・アソシエーション・セットを確定し、アグリゲートされた情報を生成するために、第１のアソシエーション・セットに基づいて、第１のセルに対応する情報をアグリゲートし、アグリゲートされた情報をＵＣＩ伝送用のセルの第１の上りリンク・サブフレーム上で送信（report）するように実行可能である。
【０００６】
本発明に従って、端末装置（ＵＥ）によって情報を送信（report）するための方法が提供される。この方法は、異なるＴＤＤ上り下りリンク（ＵＬ−ＤＬ）構成を用いたＴＤＤキャリアアグリゲーションにおいて、第１のＵＬ−ＤＬ構成を有する第１のセルを選択するステップと、第１のＵＬ−ＤＬ構成を有する第１のセルに対する参照ＵＬ−ＤＬ構成を確定するステップと、上りリンク制御情報（ＵＣＩ）伝送用のセルを確定するステップと、ＵＣＩ伝送用のセルの第１の上りリンク・サブフレームを選択するステップと、第１のセルの、ＵＣＩ伝送用のセルの第１の上りリンク・サブフレームへの第１の下りリンク・サブフレーム・アソシエーション・セットを確定するステップと、アグリゲートされた情報を生成するために、第１のアソシエーション・セットに基づいて、第１のセルに対応する情報をアグリゲートするステップと、アグリゲートされた情報をＵＣＩ伝送用のセルの第１の上りリンク・サブフレーム上で送信（report）するステップとを備える。
【０００７】
本発明に従って、情報を受信するための基地局装置（evolved Node B：ｅＮＢ）が提供される。ｅＮＢは、プロセッサ、プロセッサと電子通信を行うメモリ、メモリに格納された命令を備え、命令は、異なるＴＤＤ上り下りリンク（ＵＬ−ＤＬ）構成を用いたＴＤＤキャリアアグリゲーションにおいて、第１のＵＬ−ＤＬ構成を有する第１のセルを選択し、第１のＵＬ−ＤＬ構成を有する第１のセルに対する参照ＵＬ−ＤＬ構成を確定し、上りリンク制御情報（ＵＣＩ）受信用のセルを確定し、ＵＣＩ受信用のセルの第１の上りリンク・サブフレームを選択する、第１のセルの、ＵＣＩ受信用のセルの第１の上りリンク・サブフレームへの第１の下りリンク・サブフレーム・アソシエーション・セットを確定し、アグリゲートされた情報をＵＣＩ受信用のセルの第１の上りリンク・サブフレーム上で受信し、第１のアソシエーション・セットに基づいて、アグリゲートされた情報をデアグリゲートするように実行可能である。
【０００８】
本発明に従って、基地局装置（ｅＮＢ）によって情報を受信するための方法が提供される。この方法は、異なるＴＤＤ上り下りリンク（ＵＬ−ＤＬ）構成を用いたＴＤＤキャリアアグリゲーションにおいて、第１のＵＬ−ＤＬ構成を有する第１のセルを選択するステップと、第１のＵＬ−ＤＬ構成を有する第１のセルに対する参照ＵＬ−ＤＬ構成を確定するステップと、上りリンク制御情報（ＵＣＩ）受信用のセルを確定するステップと、ＵＣＩ受信用のセルの第１の上りリンク・サブフレームを選択するステップと、第１のセルの、ＵＣＩ受信用のセルの第１の上りリンク・サブフレームへの第１の下りリンク・サブフレーム・アソシエーション・セットを確定するステップと、アグリゲートされた情報をＵＣＩ受信用のセルの第１の上りリンク・サブフレーム上で受信するステップと、第１のアソシエーション・セットに基づいて、アグリゲートされた情報をデアグリゲートするステップとを備える。
【図面の簡単な説明】
【０００９】
【図１】異なる二重構成を用いて上りリンク情報を送信（report）するためのシステムおよび方法が実装される１つ以上の基地局装置（ｅＮＢ）および１つ以上の端末装置（ＵＥ）の一構成を示すブロック・ダイアグラムである。
【図２】ＵＥにおいて情報を送信（report）するための方法の一構成を示すフロー・ダイアグラムである。
【図３】ｅＮＢにおいて情報を受信するための方法の一構成を示すフロー・ダイアグラムである。
【図４】本明細書に開示されるシステムおよび方法に従って用いられる無線フレームの一例を示すダイアグラムである。
【図５】本明細書に開示されるシステムおよび方法による上りリンク送信（reporting）のためのアソシエーション領域のいくつかの例を示すダイアグラムである。
【図６】本明細書に開示されるシステムおよび方法による上りリンク送信（reporting）のためのアソシエーション領域のいくつかの例を示すダイアグラムである。
【図７】他の上り下りリンク（ＵＬ−ＤＬ）構成である構成０のアソシエーション領域の具体例を示す図である。
【図８】他の上り下りリンク（ＵＬ−ＤＬ）構成である構成１のアソシエーション領域の具体例を示す図である。
【図９】他の上り下りリンク（ＵＬ−ＤＬ）構成である構成２のアソシエーション領域の具体例を示す図である。
【図１０】他の上り下りリンク（ＵＬ−ＤＬ）構成である構成３のアソシエーション領域の具体例を示す図である。
【図１１】他の上り下りリンク（ＵＬ−ＤＬ）構成である構成４のアソシエーション領域の具体例を示す図である。
【図１２】他の上り下りリンク（ＵＬ−ＤＬ）構成である構成５のアソシエーション領域の具体例を示す図である。
【図１３】他の上り下りリンク（ＵＬ−ＤＬ）構成である構成６のアソシエーション領域の具体例を示す図である。
【図１４】他の構成に適用される、構成０におけるより均等な分配マッピング・アプローチの一例を示すダイアグラムである。
【図１５】他の構成に適用される、構成１におけるより均等な分配マッピング・アプローチの一例を示すダイアグラムである。
【図１６】他の構成に適用される、構成２におけるより均等な分配マッピング・アプローチの一例を示すダイアグラムである。
【図１７】他の構成に適用される、構成３におけるより均等な分配マッピング・アプローチの一例を示すダイアグラムである。
【図１８】他の構成に適用される、構成４におけるより均等な分配マッピング・アプローチの一例を示すダイアグラムである。
【図１９】他の構成に適用される、構成５におけるより均等な分配マッピング・アプローチの一例を示すダイアグラムである。
【図２０】他の構成に適用される、構成６におけるより均等な分配マッピング・アプローチの一例を示すダイアグラムである。
【図２１】本明細書に開示されるシステムおよび方法に従って用いられる２つの新しいスーパーセット上り下りリンク（ＵＬ−ＤＬ）構成を示するダイアグラムである。
【図２２】他の上り下りリンク（ＵＬ−ＤＬ）構成である構成２＋３のアソシエーション領域の具体例を示す図である。
【図２３】構成２＋３のより均等な分配マッピング・アプローチの一例を示すダイアグラムである。
【図２４】図２３に提示される例をさらに示すダイアグラムである。
【図２５】他の上り下りリンク（ＵＬ−ＤＬ）構成である構成２＋４のアソシエーション領域の具体例を示す図である。
【図２６】構成２＋４のより均等な分配マッピング・アプローチの一例を示すダイアグラムである。
【図２７】図２６に提示される例をさらに示すダイアグラムである。
【図２８】ＵＥにおいて参照セルを選択するための方法の一構成を示すフロー・ダイアグラムである。
【図２９】端末装置（ＵＥ）に利用される様々なコンポーネントを示す。
【図３０】基地局装置（ｅＮＢ）に利用される様々なコンポーネントを示す。
【発明を実施するための形態】
【００１０】
情報を送信（report）するための端末装置（ＵＥ）を記載する。ＵＥは、プロセッサ、およびプロセッサと電子通信を行うメモリに格納された命令を含む。ＵＥは、参照上り下りリンク（ＵＬ−ＤＬ）構成を有する参照セルを選択する。ＵＥは、参照セルから第１の上りリンク・サブフレームも選択する。ＵＥは、さらに、第１のＵＬ−ＤＬ構成を有する第１のセルから第１のサブフレーム・セットを選択する。加えて、ＵＥは、第１のサブフレーム・セットと第１の上りリンク・サブフレームとの間の第１のアソシエーション・セットを確定する。ＵＥは、また、アグリゲートされた情報を生成するために、第１のアソシエーション・セットに基づいて、参照セルに対応する情報と第１のセルに対応する情報とをアグリゲートする。ＵＥは、さらに、アグリゲートされた情報を上りリンク送信（reporting）セルで送信（report）する。
【００１１】
アグリゲートされた情報は、肯定応答／否定応答（ＡＣＫ／ＮＡＣＫ）情報を含む。
【００１２】
第１のサブフレーム・セットは、参照セルに基づいてアソシエーション領域を定義する。アソシエーション領域は、すべてのＵＬ−ＤＬ構成に対して同じとする。ＵＥは、第１のセルからの少なくとも１つの追加のサブフレーム・セットと参照セルからの少なくとも１つの追加の上りリンク・サブフレームとの間の少なくとも１つの追加のアソシエーション・セットを確定する。
【００１３】
第１のアソシエーション・セットおよび少なくとも１つの追加のアソシエーション・セットは、第１の上りリンク・サブフレームおよび少なくとも１つの追加の上りリンク・サブフレームの間でバランスが取られる。第１のアソシエーション・セットの確定および少なくとも１つの追加のアソシエーション・セットの確定は、少なくとも各アソシエーションの距離の最小化またはすべてのアソシエーションに関する総距離の最小化を含む。
【００１４】
参照セルの選択は、最小周期を持つ少なくとも１つのセルの確定を含む。１つのセルが最小周期を持つセルであると判定された場合には、参照セルが、最小周期を持つセルとなる。ＵＥは、１以上のセルが最小周期を持つセルであるかどうかも判定する。１以上のセルが最小周期を持つと判定された場合には、最多上りリンク割当てを持つ少なくとも１つのセルが確定される。１つのセルが最多上りリンク割当てを持つセルであると判定された場合には、参照セルが、最多上りリンク割当てを持つセルとなる。ＵＥは、１以上のセルが最多上りリンク割当てを持つセルであるかどうか、さらに判定する。１以上のセルが最多上りリンク割当てを有すると判定された場合には、最小セル・インデックス（Ｃｅｌｌ＿ＩＤ）を持つセルが確定し、参照セルが、最小セル・インデックス（Ｃｅｌｌ＿ＩＤ）を持つセルとなる。
【００１５】
上りリンク送信（reporting）セルは、特定の上りリンク・サブフレームに対して最小セル・インデックス（Ｃｅｌｌ＿ＩＤ）を持つセルである。第１のセルが第１のバンドにあり、参照セルが第２のバンドにあってもよい。第１のバンドおよび第２のバンドが異なるバンドであってもよい。
【００１６】
参照ＵＬ−ＤＬ構成は、異なるＵＬ−ＤＬ構成を用いてＰＣｅｌｌおよび１以上のＳＣｅｌｌからの１以上の上りリンク・サブフレームを組み合わせたスーパーセットＵＬ−ＤＬ構成であってもよい。参照ＵＬ−ＤＬ構成および第１のＵＬ−ＤＬ構成は、同じＵＬ−ＤＬ構成または異なるＵＬ−ＤＬ構成とする。
【００１７】
端末装置（ＵＥ：user equipment）によって情報を送信（report）するための方法も記載する。この方法は、参照上り下りリンク（ＵＬ−ＤＬ）構成を有する参照セルを選択するステップを含む。この方法は、参照セルから第１の上りリンク・サブフレームを選択するステップも含む。この方法は、さらに、第１のＵＬ−ＤＬ構成を有する第１のセルから第１のサブフレーム・セットを選択するステップを含む。加えて、この方法は、第１のサブフレーム・セットと第１の上りリンク・サブフレームとの間の第１のアソシエーション・セットを確定するステップを含む。この方法は、アグリゲートされた情報を生成するために、第１のアソシエーション・セットに基づいて、参照セルに対応する情報と第１のセルに対応する情報とをアグリゲートするステップも含む。この方法は、さらに、アグリゲートされた情報を上りリンク送信（reporting）セルで送信（report）するステップを含む。
【００１８】
情報を受信するための基地局装置（ｅＮＢ）も記載する。ｅＮＢは、プロセッサ、およびプロセッサと電子通信を行うメモリに格納された命令を含む。ｅＮＢは、アグリゲートされた情報が、第１の上り下りリンク（ＵＬ−ＤＬ）構成を有する第１のセルおよび第２のＵＬ−ＤＬ構成を有する第２のセルに関連して用いられているかどうかを判定する。第１のＵＬ−ＤＬ構成は、第２のＵＬ−ＤＬ構成とは異なる。ｅＮＢは、また、アグリゲートされた情報を上りリンク送信（reporting）セルで受信する。ｅＮＢは、さらに、アグリゲートされた情報をアソシエーション・セットに基づいてデアグリゲートする。上りリンク送信（reporting）セルは、各特定の上りリンク・サブフレームに対して最小セル・インデックス（Ｃｅｌｌ＿ＩＤ）を持つ第１のセルまたは第２のセルとする。
【００１９】
基地局装置（ｅＮＢ）によって情報を受信するための方法は、アグリゲートされた情報が、第１の上り下りリンク（ＵＬ−ＤＬ）構成を有する第１のセルおよび第２のＵＬ−ＤＬ構成を有する第２のセルに関連して用いられているかどうかを判定するステップを含む。この方法は、アグリゲートされた情報を上りリンク送信（reporting）セルで受信するステップも含む。この方法は、さらに、アソシエーション・セットに基づいて、アグリゲートされた情報をデアグリゲートするステップを含む。
【００２０】
「３ＧＰＰ」とも呼ばれる、第３世代パートナーシップ・プロジェクト（The 3rd Generation Partnership Project）は、第３および第４世代ワイヤレス通信システムに関する世界的に適用可能な技術仕様および技術レポートを規定することを目指した連携合意である。３ＧＰＰは、次世代モバイルネットワーク、システム、およびデバイスに関する仕様を規定する。
【００２１】
３ＧＰＰロング・ターム・エボリューション（ＬＴＥ：Long Term Evolution）は、将来の要求に対処するためにユニバーサル・モバイル通信システム（ＵＭＴＳ：Universal Mobile Telecommunications System）モバイルフォンまたはデバイス規格を改善するプロジェクトに与えられた名称である。一様態において、ＵＭＴＳは、進化型ユニバーサル地上無線アクセス（Ｅ−ＵＴＲＡ：Evolved Universal Terrestrial Radio Access）および進化型ユニバーサル地上無線アクセス・ネットワーク（Ｅ−ＵＴＲＡＮ：Evolved Universal Terrestrial Radio Access Network）に対するサポートおよび仕様を提供するために修正された。
【００２２】
本明細書に開示されるシステムおよび方法の少なくともいくつかの様態は、３ＧＰＰロング・ターム・エボリューション（ＬＴＥ）、ＬＴＥアドバンスト（ＬＴＥ−Ａ：LTE-Advanced）および他の規格（例えば、３ＧＰＰリリース８、９、１０および／または１１）に関連して記載される。しかしながら、本開示の範囲は、この点で限定されるべきではない。本明細書に開示されるシステムおよび方法の少なくともいくつかの様態は、他のタイプのワイヤレス通信システムにおいて利用することができる。
【００２３】
ワイヤレス通信デバイスは、音声および／またはデータを基地局へ通信するために用いられる電子デバイスである。基地局は、次にデバイスのネットワーク（例えば、公衆交換電話網（ＰＳＴＮ：public switched telephone network）、インターネットなど）と通信する。本明細書においてシステムおよび方法を記載するときに、ワイヤレス通信デバイスは、代わりに移動局、端末装置（ＵＥ）、アクセス端末、加入者局、移動端末、遠隔局、ユーザ端末、端末、加入者ユニット、モバイルデバイスなどと呼ばれることもある。ワイヤレス通信デバイスの例は、セルラーフォン、スマートフォン、携帯情報端末（ＰＤＡ：personal digital assistant）、ラップトップコンピュータ、ネットブック、電子書籍リーダ、ワイヤレス・モデムなどを含む。３ＧＰＰ仕様では、ワイヤレス通信デバイスは、典型的に端末装置（ＵＥ）と呼ばれる。しかしながら、本開示の範囲は３ＧＰＰ規格に限定されるべきではないので、より一般的な用語「ワイヤレス通信デバイス」を意味するために、本明細書では用語「ＵＥ」および「ワイヤレス通信デバイス」が同義で用いられる。
【００２４】
３ＧＰＰ仕様では、基地局は、典型的にＮｏｄｅ  Ｂ、ｅｖｏｌｖｅｄまたはｅｎｈａｎｃｅｄ  Ｎｏｄｅ  Ｂ（ｅＮＢ）、ｈｏｍｅ  ｅｎｈａｎｃｅｄまたはｅｖｏｌｖｅｄ  Ｎｏｄｅ  Ｂ（ＨｅＮＢ）、あるいはいくつか他の同様の用語で呼ばれる。本開示の範囲は３ＧＰＰ規格に限定されるべきではないので、より一般的な用語「基地局」を意味するために、本明細書では、用語「基地局」、「Ｎｏｄｅ  Ｂ」、「ｅＮＢ」、および「ＨｅＮＢ」が同義で用いられる。さらに、用語「基地局」は、アクセスポイントを示すために用いられてもよい。アクセスポイントは、ワイヤレス通信デバイスのためにネットワーク（例えば、ローカルエリアネットワーク（ＬＡＮ：Local Area Network）、インターネットなど）へのアクセスを提供する電子デバイスである。用語「通信デバイス」は、ワイヤレス通信デバイスおよび／または基地局の両方を示すために用いられる。
【００２５】
留意すべきは、本明細書において、「セル」は、インターナショナル・モバイル・テレコミュニケーションズ−アドバンスト（ＩＭＴ−Ａｄｖａｎｃｅｄ：International Mobile Telecommunications-Advanced）に用いるために規格化または規制団体によって仕様が定められた任意の通信チャネルであり、そのすべてまたはそのサブセットがＮｏｄｅ  Ｂ（例えば、ｅＮｏｄｅＢ）とＵＥとの間の通信に用いることが認可されたバンド（例えば、周波数バンド）として３ＧＰＰに採用される。「構成されたセル（Configured cells）」は、ＵＥが認識しているセルであって、情報を送信または受信することがＮｏｄｅ  Ｂ（例えば、ｅＮＢ）によって許可されたセルである。「構成されたセル（単数または複数）」は、在圏セル（単数または複数）であってもよい。ＵＥは、すべての構成されたセルでシステム情報を受信し、必要とされる測定を行う。「アクティブ化されたセル（Activated cells）」は、ＵＥが送受信を行う構成されたセルである。すなわち、アクティブ化されたセルは、ＵＥが物理下りリンク制御チャネル（ＰＤＣＣＨ：physical downlink control channel）をモニターする対象となるセルであり、下りリンク伝送の場合には、ＵＥが物理下りリンク共有チャネル（ＰＤＳＣＨ：physical downlink shared channel）を復号する対象となるセルである。「非アクティブ化されたセル（Deactivated cells）」は、ＵＥが伝送ＰＤＣＣＨをモニターしていない構成されたセルである。留意すべきは、「セル」が様々な次元の観点から記載されることである。例えば、「セル」は、時間特性、空間（例えば、幾何形状）特性および周波数特性を有する。
【００２６】
３ＧＰＰ仕様において、キャリアアグリゲーションは、典型的に、１以上のキャリアの同時利用を指す。一例において、キャリアアグリゲーションは、ＵＥに利用可能な有効バンド幅を増加させるために用いられる。キャリアアグリゲーションの１つのタイプは、バンド間キャリアアグリゲーション（intra-band carriers aggregation）である。バンド間キャリアアグリゲーションでは、複数のバンドからの複数のキャリアがアグリゲートされる。例えば、第１のバンド（例えば、８００ＭＨｚ）におけるキャリアが第２のバンド（例えば、２．６ＧＨｚ）におけるキャリアとアグリゲートされる。
【００２７】
キャリアアグリゲーションの拡張においては、（例えば、異なるバンドにおけるセルまたはコンポーネント・キャリア（ＣＣ：component carrier）が異なるＵＬ−ＤＬ構成を有する）異なる時分割多重（ＴＤＤ：time division duplex）上り下りリンク（ＵＬ−ＤＬ）構成がバンド間アグリゲーションに用いられる。異なるＴＤＤ構成を用いたキャリアアグリゲーションは、バンド間キャリアアグリゲーションと呼ばれる。
【００２８】
バンド間キャリアアグリゲーションでは、ＵＥが、１つのバンドにおける１つのセルで送信し、同時に別のバンドにおける別のセルで受信できるように、全二重がサポートされる。全二重のサポートによって、上りリンク・スケジューリングおよび上りリンク伝送は、各バンドで独立に行われる。物理ハイブリッド自動再送要求（ＡＲＱ：automatic repeat request）インジケータ・チャネル（ＰＨＩＣＨ（physical hybrid ARQ indication channel））または物理下りリンク制御チャネル（ＰＤＣＣＨ）での肯定応答／否定応答（ＡＣＫ／ＮＡＣＫ）フィードバックも、各キャリアによって扱うことができる。しかしながら、現行の仕様（例えば、３ＧＰＰリリース１０）では、上りリンク送信（reporting）は、プライマリセル（ＰＣｅｌｌ）のみで行われる。これは、将来（例えば、３ＧＰＰリリース１１において）、変更されるかもしれず、あるいは変更されないかもしれない。異なるＵＬ−ＤＬ構成を用いたバンド間キャリアアグリゲーションに関する現行の仕様（例えば、３ＧＰＰリリース１０）の下では、異なるＵＬ−ＤＬ構成を持つセカンダリセル（ＳＣｅｌｌ）の上りリンク送信（reporting）は行われない。そのため、異なるＴＤＤ  ＵＬ−ＤＬ構成を用いたバンド間キャリアアグリゲーションに関して、下りリンク伝送に対するＡＣＫ／ＮＡＣＫをアグリゲートして送信（report）するいくつかの新しいルールを規定する必要がある。
【００２９】
本明細書に開示されるシステムおよび方法は、異なるセルで異なるＵＬ−ＤＬ構成が用いられるときの上りリンク送信（reporting）に用いられる。さらに、本明細書に開示されるシステムおよび方法は、異なるバンドにおける複数のセルから、物理上りリンク制御チャネル（ＰＵＣＣＨ：physical uplink control channel）または物理上りリンク共有チャネル（ＰＵＳＣＨ：physical uplink shared channel）で送信（report）する１つの上りリンクに、上りリンク制御情報（ＵＣＩ）レポートを多重化およびアグリゲートするために用いられる。ＵＣＩの一例は、ＡＣＫ／ＮＡＣＫレポーティング（例えば、ＡＣＫ／ＮＡＣＫビット）である。
【００３０】
本明細書に開示されるシステムおよび方法は、上りリンク送信（reporting）用のセルにおける上りリンク・サブフレームを選択するために用いられる。本明細書に開示されるシステムおよび方法は、サブフレーム領域マッピングに基づくＡＣＫ／ＮＡＣＫの多重化および送信（reporting）にも用いられる。加えて、本明細書に開示されるシステムおよび方法は、ＰＣｅｌｌ上りリンク構成に基づくＡＣＫ／ＮＡＣＫの多重化および送信（reporting）に用いられる。本明細書に開示されるシステムおよび方法は、最大上りリンク割当てを持つセルに基づくＡＣＫ／ＮＡＣＫの多重化および送信（reporting）にも用いられる。加えて、本明細書に開示されるシステムおよび方法は、複数（例えば、いくつか、すべて）のセルのアグリゲートされた上りリンク割当てを持つセルに基づくＡＣＫ／ＮＡＣＫの多重化および送信（reporting）に用いられる。
【００３１】
３ＧＰＰ仕様（例えば、３ＧＰＰ  ＴＳ  ３６．２１１）では、様々な下りリンクおよび上りリンク・トラフィック比を実現するために、７つのＵＬ−ＤＬ構成が規定されている。これらの割当ては、４０％から９０％の間のサブフレームを下りリンク信号に割当てることができる。
【００３２】
留意すべきは、サブフレーム・アソシエーションが、「上り下りリンク・アソシエーション」と呼ばれ、上りリンクから下りリンクへのサブフレーム・アソシエーションおよび／または下りリンクから上りリンクへのサブフレーム・アソシエーションを含むことである。アソシエーションの例は、下りリンク・サブフレーム物理下りリンク制御チャネル（ＰＤＣＣＨ）の、上りリンク・サブフレームにおける上りリンク電力制御へのアソシエーション、下りリンク・サブフレーム物理下りリンク制御チャネル（ＰＤＣＣＨ）の、上りリンク・サブフレームにおける物理上りリンク共有チャネル（ＰＵＳＣＨ）割当てへのアソシエーション、下りリンク・サブフレーム（単数または複数）での物理的下りリンク共有チャネル（ＰＤＳＣＨ）伝送に対する、上りリンク・サブフレーム（単数または複数）上での肯定応答および否定応答（ＡＣＫ／ＮＡＣＫ）フィードバックのアソシエーション、上りリンク・サブフレーム（単数または複数）での物理上りリンク共有チャネル（ＰＵＳＣＨ）伝送（単数または複数）に対する、物理ハイブリッド自動再送要求（ＨＡＲＱ）インジケータ・チャネル（ＰＨＩＣＨ）または物理下りリンク制御チャネル（ＰＤＣＣＨ）での肯定応答および否定応答（ＡＣＫ／ＮＡＣＫ）フィードバックのアソシエーションなどを含む。
【００３３】
ＬＴＥ−ＴＤＤフレーム構造および上り下りリンク構成は、３ＧＰＰ  ＴＳ  ３６．２１１［１］に示される。下りリンクから上りリンクへの切り替えポイント周期が５ミリ秒（ｍｓ）、１０ｍｓであるどちらの上り下りリンク構成もサポートされる。現行のＬＴＥ−ＴＤＤシステムには、規格に指定された７つのＵＬ−ＤＬ構成（例えば、構成０〜６）がある。
【００３４】
構成ｚｅｒｏ（例えば、“０”）は、（ＵＬサブフレームにとって現行の最大割当てである）６つの上りリンク（ＵＬ）サブフレームの割当てを持つ５ｍｓ構成である。構成０の２つの無線フレームの実例が下の表１に示される。以下に示される表では、「Ｄ」は下りリンク・サブフレームを示し、「Ｕ」は上りリンク・サブフレームを示し、「Ｓ」はスペシャル・サブフレームを示す。
【００３５】
【表１】
2014528658.tif 000003
【００３６】
構成ｏｎｅ（例えば、“１”）は、４つのＵＬサブフレームを持つ５ｍｓ構成である。構成１の２つの無線フレームの実例が下の表２に示される。
【００３７】
【表２】
2014528658.tif 000004
【００３８】
構成ｔｗｏ（例えば、“２”）は、２つのＵＬサブフレームを持つ５ｍｓ構成である。構成２の２つの無線フレームの実例が下の表３に示される。
【００３９】
【表３】
2014528658.tif 000005
【００４０】
構成ｔｈｒｅｅ（例えば、“３”）は、（現行の１０ｍｓ構成にとって最大数の上りリンク・サブフレームである）３つのＵＬサブフレームを持つ１０ｍｓ構成である。構成３の２つの無線フレームの実例が下の表４に示される。
【００４１】
【表４】
2014528658.tif 000006
【００４２】
構成ｆｏｕｒ（例えば、“４”）は、２つのＵＬサブフレームを持つ１０ｍｓ構成である。構成４の２つの無線フレームの実例が下の表５に示される。
【００４３】
【表５】
2014528658.tif 000007
【００４４】
構成ｆｉｖｅ（例えば、“５”）は、１つのＵＬサブフレームを持つ１０ｍｓ構成である。構成５の２つの無線フレームの実例が下の表６に示される。
【００４５】
【表６】
2014528658.tif 000008
【００４６】
構成ｓｉｘ（例えば、“６”）は、５つのＵＬサブフレームを持つ５ｍｓ構成である。構成６の２つの無線フレームの実例が下の表７に示される。
【００４７】
【表７】
2014528658.tif 000009
【００４８】
（例として、ＬＴＥ−ＴＤＤにおける）アソシエーションの例は、ＰＤＣＣＨの上りリンク・サブフレームの上りリンク電力制御に対するアソシエーションや、ＰＤＣＣＨの上りリンク・サブフレームにおける物理上りリンク共有チャネル（ＰＵＳＣＨ）割当てに対するアソシエーションや、上りリンク・サブフレーム（単数または複数）上での下りリンク伝送のＡＣＫ／ＮＡＣＫフィードバックのアソシエーションや、ＰＨＩＣＨまたはＰＤＣＣＨでの上りリンク伝送のＡＣＫ／ＮＡＣＫフィードバックなどを含む。
【００４９】
明確にするために、本明細書に開示されるシステムおよび方法に従って用いられるフレーム構造の一例が、３ＧＰＰ  ＴＳ  ３６．２１１から以下のように示される。このフレーム構造は、時分割多重（ＴＤＤ：time-division duplexing）アプローチに適用可能である。各フレームは、Ｔｆ＝３０７２００Ｔｓ＝１０ミリ秒（ｍｓ）の長さを有し、ここでＴｆは無線フレーム持続時間であり、Ｔｓは１／（１５０００×２０４８）秒に等しい時間単位である。フレームは、それぞれが１５３６００Ｔｓ＝５ｍｓの長さを有する、２つの半フレーム（half-frames）を含む。各半フレームは、それぞれが３０７２０Ｔｓ＝１ｍｓの長さを有する、５つのサブフレームを含む。いくつかのＵＬ−ＤＬフレーム構成が下の表８に示される。
【００５０】
【表８】
2014528658.tif 000010
【００５１】
表８では、無線フレームにおける各サブフレームに関して、「Ｄ」は下りリンク伝送のために予約（確保）された（reserved）サブフレームを示し、「Ｕ」は上りリンク伝送のために予約されたサブフレームを示し、「Ｓ」は３つのフィールド：下りリンク・パイロット時間スロット（ＤｗＰＴＳ：downlink pilot time slot）、ガード期間（ＧＰ：guard period）および上りリンク・パイロット時間スロット（ＵｐＰＴＳ：uplink pilot time slot）を持つスペシャル・サブフレームを示す。ＤｗＰＴＳおよびＵｐＰＴＳの長さは、ＤｗＰＴＳ、ＧＰおよびＵｐＰＴＳの全長が３０７２０Ｔｓ＝１ｍｓであることを前提として、（３ＧＰＰ  ＴＳ  ３６．２１１の表４．２−１からのものである）表９に示される。表９は、（標準的）スペシャル・サブフレームのいくつかの構成を示す。各サブフレームｉは、各サブフレームにおける長さがＴｓｌｏｔ＝１５３６０Ｔｓ＝０．５ｍｓの２つのスロット２ｉおよび２ｉ＋１として定義される。表９では、便宜上、「サイクリックプレフィックス」は「ＣＰ」と略記され、「構成」は「Ｃｏｎｆｉｇ」と略記される。
【００５２】
【表９】
2014528658.tif 000011
【００５３】
下りリンクから上りリンクへの切り替えポイント周期が５ｍｓ、１０ｍｓであるどちらのＵＬ−ＤＬ構成もサポートされる。下りリンクから上りリンクへの切り替えポイント周期が５ｍｓの場合、スペシャル・サブフレームは、両方の半フレームに存在する。下りリンクから上りリンクへの切り替えポイント周期が１０ｍｓの場合、スペシャル・サブフレームは、第１の半フレームだけに存在する。サブフレーム０および５ならびにＤｗＰＴＳは、下りリンク伝送のために確保される。ＵｐＰＴＳ、およびスペシャル・サブフレームのすぐ後に続くサブフレームは、上りリンク伝送のために予約される。複数のセルがアグリゲートされる場合、ＵＥは、すべてのセルにわたってＵＬ−ＤＬ構成が同じであると想定し、異なるセルにおけるスペシャル・サブフレームのガード期間が少なくとも１４５６Ｔｓの重なりを有すると想定する。
【００５４】
ＵＬ−ＤＬ構成は、サブフレーム割当ておよびｓｐｅｃｉａｌＳｕｂｆｒａｍｅＰａｔｔｅｒｎｓを含む情報要素（ＩＥ：information element）ＴＤＤ−Ｃｏｎｆｉｇによって定義されるＳｙｓｔｅｍＩｎｆｏｒｍａｔｉｏｎＢｌｏｃｋＴｙｐｅ１（ＳＩＢ１）の一部である。ＳＩＢ１は、論理チャネルとしてブロードキャスト制御チャネルで送信される。
【００５５】
キャリアアグリゲーションに関する現行の仕様（例えば、３ＧＰＰリリース１０）では、すべてのアグリゲートされるセルに同じＴＤＤ  ＵＬ−ＤＬ構成が必要とされる。加えて、このＴＤＤ  ＵＬ−ＤＬ構成は、ＰＣｅｌｌのみから得られる。ＴＳ  ３６．３３１  ５．２．２．１［３］節では以下のように示される。
【００５６】
「ＵＥは、システム情報取得（system information acquisition）を適用して、ＰＣｅｌｌに関するモニター手順のみを変更する。ＳＣｅｌｌに関して、Ｅ−ＵＴＲＡＮは、ＳＣｅｌｌを追加するときに、専用シグナリングを通じて、ＲＲＣ＿ＣＯＮＮＥＣＴＥＤ状態での動作に関連するすべてのシステム情報を提供する。構成されたＳＣｅｌｌに関連するシステム情報の変更の際に、Ｅ−ＵＴＲＡＮは、当該セルをリリースし、その後追加する。これは、単一のＲＲＣＣｏｎｎｅｃｔｉｏｎＲｅｃｏｎｆｉｇｕｒａｔｉｏｎメッセージを用いて行われる。Ｅ−ＵＴＲＡＮは、専用シグナリングを通じて、当該ＳＣｅｌｌでブロードキャストされるのとは異なるパラメータ値を構成することができる」。
【００５７】
キャリアアグリゲーション拡張の３ＧＰＰ議論では、異なるバンドにおける異なるＴＤＤ  ＵＬ−ＤＬ構成へのサポートが考慮される。異なるＴＤＤ構成を用いたキャリアアグリゲーションは、バンド間キャリアアグリゲーションとも呼ばれる。ヘテロジニアスネットワーク・シナリオにおけるキャリアアグリゲーションは、異なるＴＤＤ  ＵＬ−ＤＬ構成への重要なインセンティブである。ヘテロジニアスネットワークでは、１つのバンドにおけるピコセルが、他のバンドにおけるマクロセルとは大きく異なるＵＬ−ＤＬトラフィック負荷を有する。かかる状況は、異なるＵＬ−ＤＬ構成を必要とする。ＰＣｅｌｌは、マクロセルまたはピコセルで構成される。
【００５８】
キャリアアグリゲーションの一構成では、同じｅＮＢスケジューラが、ＰＣｅｌｌおよびＳＣｅｌｌ（単数または複数）のリソースを管理すると想定する。従って、スケジューラは、各セルの実際の構成を知ることができる。ＵＥも、各アグリゲートされたセルの実際のＵＬ−ＤＬ構成を通知される。これは、ＵＥがＰＣｅｌｌとは異なるＵＬ−ＤＬ構成を有する場合に特に当てはまる。
【００５９】
３ＧＰＰ仕様ミーティング（例えば、ＲＡＮ１＃６６）において、次のことが合意された。「異なるバンドにおける異なるＴＤＤ  ＵＬ−ＤＬ構成のサポートが指定された場合、ＵＥは、アグリゲートされるＣＣ毎の実際のＵＬ−ＤＬ構成を通知されることになろう。リリース１０のシグナリングがいかに修正されるかにもよるが、同じバンドにおけるＣＣは、確実に同じ構成を持つようにしなければならないことに留意すべきである［５］」。さらに、いかなる新しいＵＬ−ＤＬ構成も導入されるべきではないことが合意された（例えば、ＲＡＮ１＃６６）。
【００６０】
ＰＣｅｌｌとは異なるバンドにおけるＳＣｅｌｌのＵＬ−ＤＬ構成を得るために、２つの方法が用いられる。１つの方法は、既存の専用シグナリングの再利用である。例えば、異なるバンドにおけるＳＣｅｌｌに関して、Ｅ−ＵＴＲＡＮは、ＳＣｅｌｌを追加するときに、専用シグナリングを通じて、ＲＲＣ＿ＣＯＮＮＥＣＴＥＤ状態での動作に関連するすべてのシステム情報を提供する。構成されたＳＣｅｌｌに関連するシステム情報の変更の際には、Ｅ−ＵＴＲＡＮは、当該ＳＣｅｌｌをリリースし、その後追加する。これは、単一のＲＲＣＣｏｎｎｅｃｔｉｏｎＲｅｃｏｎｆｉｇｕｒａｔｉｏｎメッセージを用いて行われる。別の方法では、異なるバンドにおけるＳＣｅｌｌが追加されるとき、ＵＥは、そのバンドにおけるアンカーセル、もしくはスペシャルＳＣｅｌｌ、またはセカンダリＰＣｅｌｌ、あるいはバンドＰＣｅｌｌによってセットアップされ、各バンドのＰＳＳ／ＳＳＳおよびＢＣＨからシステム情報を取得する。これは、ＵＥによるさらに多くのモニタリングを必要とする。
【００６１】
バンド間キャリアアグリゲーションに関して、各バンドは、それ自体の電力増幅器およびフィルタを有する。このように、１つのバンドにおけるセルで伝送し、同時に異なるバンドにおける別のセルで受信するために、全二重がサポートされる。
【００６２】
上りリンクと下りリンクとのアソシエーションには、４つの基本的な機能がある。詳細は、ＴＳ３６．２１３に見られる［２］。下りリンク伝送およびスケジューリング：ＰＤＣＣＨでＰＤＳＣＨ割当てが与えられ、同じサブフレームでＰＤＳＣＨ伝送が実行される。上りリンク伝送スケジューリングまたは上りリンク・グラント：ＵＥは、ＵＥを対象とするサブフレームｎでの上りリンクＤＣＩフォーマットを持つＰＤＣＣＨの検出および／またはＰＨＩＣＨ伝送の際に、ＰＤＣＣＨおよびＰＨＩＣＨ情報に従って、サブフレームｎ＋ｋで、対応するＰＵＳＣＨ伝送を調整するものとし、ｋは、ＴＳ３６．２１３の表８−２に示される。上りリンク伝送に対する下りリンクＡＣＫ／ＮＡＣＫフィードバック：在圏セルｃからスケジューリングされたサブフレームｎでのＰＵＳＣＨ伝送に関して、ＵＥは、サブフレームｎ＋ｋＰＨＩＣＨにおける在圏セルｃの対応するＰＨＩＣＨリソースを確定するものとし、ｋＰＨＩＣＨは、ＴＤＤに関してＴＳ３６．２１３の表９．１．２−１に示される。代わりに、ＰＤＣＣＨは、新しいデータ伝送または再伝送の新しい上りリンク・グラントを示すことによって、ＰＨＩＣＨをオーバライドできる。下りリンク伝送に対する上りリンクＡＣＫ／ＮＡＣＫフィードバック：下りリンク・アソシエーション・セットからのＡＣＫ／ＮＡＣＫビットが、ＰＵＣＣＨで、または上りリンク・サブフレームにおいてＵＥにＰＵＳＣＨが割当てられていればＰＵＳＣＨで送信（report）される。下りリンク・アソシエーション・セットは、ＴＳ３６．２１３の表１０．１．３．１−１に示されるように、下の表１０として示されるＴＤＤ  ＵＬ−ＤＬ構成に依存する。キャリアアグリゲーションを含むリリース１０では、複数の在圏セルのＡＣＫ／ＮＡＣＫビットが多重化および／またはバンドルされ、ＰＵＣＣＨまたはＰＵＳＣＨ伝送を用いてＰＣｅｌｌのみで送信（report）される。
【００６３】
【表１０】
2014528658.tif 000012
【００６４】
全二重のサポートによって、上りリンク・スケジューリングおよび上りリンク伝送は、各バンドで独立に実行される。ＰＨＩＣＨまたはＰＤＣＣＨでのＡＣＫ／ＮＡＣＫフィードバックも、各キャリアによって扱うことができる。異なる構成は、異なる上りリンク・スケジューリング・アソシエーションを有するので、上りリンク伝送に関するクロスキャリア・スケジューリングは機能しない。しかしながら、下りリンク伝送に関するクロスキャリア・スケジューリングは、両方のセルが下りリンク割当てを有するサブフレームにおいて用いることができる。さらに、セル毎に基づく既存のスケジューリングと競合しないようにアソシエーション・ルールが規定されていれば、上りリンク・スケジューリングも用いることができる。一構成においては、異なるＵＬ−ＤＬ構成を用いたバンド間キャリアアグリゲーションへの全二重のサポートによって、すべての下りリンク・シグナリングならびにＰＵＳＣＨおよびＰＤＳＣＨ伝送を扱うことができる。
【００６５】
しかしながら、リリース１０の仕様では、上りリンク送信（reporting）は、ＰＣｅｌｌのみで行われる。異なるＵＬ−ＤＬ構成を用いたバンド間キャリアアグリゲーションに関して、ＰＣｅｌｌがサブフレームに下りリンク割当てを有し、ＳＣｅｌｌが上りリンク割当てを有する場合、異なるＵＬ−ＤＬ構成を持つＳＣｅｌｌの上りリンク送信（reporting）は行われない。逆に、ＰＣｅｌｌが上りリンクによって構成され、ＳＣｅｌｌが下りリンク割当てによって構成されたサブフレームでは、その所定のサブフレームに、ＳＣｅｌｌでのＡＣＫ／ＮＡＣＫ伝送のための上りリンク・アソシエーションがないので、ＳＣｅｌｌからのＡＣＫ／ＮＡＣＫは、ＰＣｅｌｌで送信（report）されない。
【００６６】
同様に、ＰＵＣＣＨおよびＰＵＳＣＨは、チャネル状態情報（ＣＳＩ：channel state information）のフィードバックにも用いられる。リリース１０では、ＣＳＩ送信（reporting）は、セル毎に独立にスケジューリングされるが、ＰＣｅｌｌのみがＣＳＩ送信（reporting）を行う。従って、ＡＣＫ／ＮＡＣＫとＣＳＩ送信（reporting）との間に衝突が発生することがある。全二重のサポートによって、上りリンク送信（reporting）の問題を解決するためのいくつかのアプローチを考えることができる。
【００６７】
アプローチ１：１つのアプローチでは、各バンドは、アンカーセルを有する（例えば、１つのバンドでＰＣｅｌｌ、異なるバンドでＳＣｅｌｌが、その所定のバンドのためのスペシャルＳＣｅｌｌ（ＳＳＣｅｌｌ）、セカンダリＰＣｅｌｌ（ＳＰＣｅｌｌ）またはプライマリセカンダリセル（ＰＳＣｅｌｌ）として機能する）。このように、ＰＵＣＣＨまたはＰＵＳＣＨでのＡＣＫ／ＮＡＣＫ送信（reporting）は、各バンドのすべての在圏セルに関してＳＳＣｅｌｌ、ＳＰＣｅｌｌまたはＰＳＣｅｌｌで行われる。バンドにおけるすべての在圏セルは、同じＵＬ−ＤＬ構成を有するので、既存のＵＬ−ＤＬアソシエーションにおけるいかなるコンフリクトもない。しかしながら、バンド間アグリゲーションが用いられる場合、このアプローチは、複数のＰＵＣＣＨまたはＰＵＳＣＨ送信（reporting）を必要とする。たとえ異なるバンドに同じＵＬ−ＤＬ構成が用いられたとしても、複数のＰＵＣＣＨまたはＰＵＳＣＨ送信（reporting）が必要である。
【００６８】
アプローチ２：別のアプローチでは、同じＵＬ−ＤＬ構成を持つセルからなる各グループは、アンカーセルを有する（例えば、１つのグループでＰＣｅｌｌ、異なるＵＬ−ＤＬ構成を持つ異なるバンドでＳＣｅｌｌが、その所定のＵＬ−ＤＬ構成グループのためのＳＳＣｅｌｌ、ＳＰＣｅｌｌまたはＰＳＣｅｌｌとして機能する）。このように、ＰＵＣＣＨまたはＰＵＳＣＨでのＡＣＫ／ＮＡＣＫ送信（reporting）は、ＵＬ−ＤＬ構成グループ毎に実行される。留意すべきは、異なるバンドにおけるセルが同じＵＬ−ＤＬ構成を有すれば、ＵＬ−ＤＬ構成グループがそれらのセルを含むことである。グループにおけるすべての在圏セルは、同じＵＬ−ＤＬ構成を有するので、既存のＵＬ−ＤＬアソシエーションにおけるいかなるコンフリクトもない。異なるＵＬ−ＤＬ構成によるバンド間アグリゲーションが用いられる場合、やはり、このアプローチも、複数のＰＵＣＣＨまたはＰＵＳＣＨ送信（reporting）を必要とする。
【００６９】
アプローチ３：別のアプローチでは、ＡＣＫ／ＮＡＣＫおよびＣＳＩのＰＵＣＣＨまたはＰＵＳＣＨ送信（reporting）は、ＰＣｅｌｌのみで行われる。これは、現行の仕様（例えば、３ＧＰＰリリース１０）と一貫性がある。異なるＵＬ−ＤＬ構成を用いたバンド間キャリアアグリゲーションに関して、ＰＣｅｌｌがサブフレームに下りリンク割当てを有し、ＳＣｅｌｌが上りリンク割当てを有する場合、異なるＵＬ−ＤＬ構成を持つＳＣｅｌｌの上りリンク送信（reporting）は送信できない。それゆえに、異なるＵＬ−ＤＬ構成を用いたバンド間キャリアアグリゲーションに関して、下りリンク伝送に対するＡＣＫ／ＮＡＣＫをアグリゲートして送信（report）するいくつかの新しいルールを規定する必要がある。
【００７０】
アプローチ４：さらに別のアプローチでは、ＰＵＣＣＨまたはＰＵＳＣＨ送信（reporting）は、在圏セルで行われる。在圏セルは、ＰＣｅｌｌまたはＳＣｅｌｌとし、あるいは上りリンク・サブフレーム毎にＰＣｅｌｌ、ＳＣｅｌｌ（単数または複数）を組み合わせるものとする。例えば、在圏セルは、第１の上りリンク・サブフレームではＰＣｅｌｌであり、第２の上りリンク・サブフレームではＳＣｅｌｌである（例えば、これらの第１の上りリンク・サブフレームおよび第２の上りリンク・サブフレームが同じ無線フレームに発生する）。この場合でも、異なるＵＬ−ＤＬ構成を用いたバンド間キャリアアグリゲーションに関して、下りリンク伝送に対するＡＣＫ／ＮＡＣＫをアグリゲートして送信（report）するいくつかの新しいルールを規定する必要がある。
【００７１】
多くの場合、各セルのＡＣＫ／ＮＡＣＫビットは、セルの実際のＰＤＳＣＨ伝送に依存する。セルでＵＥに対するＰＤＳＣＨ伝送がなにもスケジューリングされていなければ、その所定のセルに関する上りリンク送信（report）のＡＣＫ／ＮＡＣＫフィードバックはなされない。セルで送信（report）すべきＡＣＫ／ＮＡＣＫビットがあれば、セルが送信（reporting）参照構成（例えば、ＰＣｅｌｌ構成）と異なる構成を有する場合、そのセルに関してレポート・アソシエーションのルールを規定する必要がある。
【００７２】
本明細書に記載されるシステムおよび方法は、アプローチ３およびアプローチ４に示される上りリンクＡＣＫ／ＮＡＣＫの多重化および送信（reporting）に関する。特に、異なるＴＤＤ  ＵＬ−ＤＬ構成を持つセルでの下りリンク伝送に対するＡＣＫ／ＮＡＣＫビットをいかにアグリゲートするかに関するアプローチが記載されている。
【００７３】
アプローチ３によって、ＰＵＣＣＨまたはＰＵＳＣＨ送信（reporting）は、ＰＣｅｌｌのみで行われる。ＳＣｅｌｌがＰＣｅｌｌとは異なる構成を有するとき、下りリンク伝送のＡＣＫ／ＮＡＣＫ送信（reporting）は、異なるアソシエーションを有する。このように、ＳＣｅｌｌおよびＰＣｅｌｌにおける異なるサブフレーム・インデックスからのＡＣＫ／ＮＡＣＫは、ＰＣｅｌｌでもＳＣｅｌｌでも同じ上りリンク・サブフレームに関連付けられる。さらに、サブフレームがＰＣｅｌｌでは下りリンク、ＳＣｅｌｌでは上りリンクで構成されている場合がある。従って、既存のＳＣｅｌｌアソシエーションが用いられた場合、ＳＣｅｌｌにおいて関連付けられたＡＣＫ／ＮＡＣＫは、ＰＣｅｌｌで送信（report）することができない。したがって、異なるＵＬ−ＤＬ割当てを持つセルでの下りリンク伝送に関して、ＡＣＫ／ＮＡＣＫビットをアグリゲートするための新しいルールを開発する必要がある。
【００７４】
１つのアソシエーション・マッピング・アプローチでは、すべてのＵＬ−ＤＬ構成に同じアソシエーション・マッピングを適用することができる。例えば、異なるＵＬ−ＤＬ構成の上りリンク送信（reporting）のために、ＵＬ−ＤＬ構成毎にアソシエーション領域が定義される。アソシエーション領域は、参照構成から導出される。
【００７５】
ＰＣｅｌｌのみの送信（reporting）の場合、参照構成は、ＰＣｅｌｌ構成とする。従って、適用されるアソシエーション領域は、ＰＣｅｌｌに関する同じＡＣＫ／ＮＡＣＫアソシエーションを維持する。アソシエーション領域は、ＳＣｅｌｌにおける異なるＵＬ−ＤＬ構成から可能な下りリンク伝送アソシエーションを追加して、それらをＰＣｅｌｌの上りリンク・サブフレームに関連付ける。ＳＣｅｌｌに関して、各アソシエーション領域におけるＳＣｅｌｌのＡＣＫ／ＮＡＣＫビットが取得されて、ＰＣｅｌｌにおいて関連付けられた上りリンクで送信（report）される。
【００７６】
このアプローチは、多くの利点を有する。例えば、このアプローチは、参照構成に基づく簡易かつ統一的なアソシエーション・マッピングを提供するので有利である。このアプローチは、また、上りリンク送信（reporting）用の固定セルが後方互換性を可能にするので有利である。加えて、このアプローチは、ＳＣｅｌｌのアクティブ化（例えば、ＳＣｅｌｌの追加）または非アクティブ化（例えば、ＳＣｅｌｌの除去）に伴うマッピングの変化がなにもないので有利である。さらに、このアプローチは、ＳＣｅｌｌの再構成に伴うマッピングの変化（例えば、ＳＣｅｌｌのＵＬ−ＤＬ構成における変化）がなにもないので有利である。
【００７７】
修正された下りリンク・アソシエーション・セットのインデックスは、下の表１１に示される。新しく追加されたアソシエーションは、括弧内に記載され、参照セル、すなわち、この場合にはＰＣｅｌｌのＵＬ−ＤＬ構成の既存のアソシエーションの後に追加される。このように、ＰＣｅｌｌに関して、このアソシエーションは、現行の仕様（例えば、３ＧＰＰリリース８、９および１０）と同じである。追加されたアソシエーションは、ＰＣｅｌｌの送信（reporting）には適用されず、ＡＣＫ／ＮＡＣＫビットの順序付けは、既存のルールに従う。追加されたアソシエーションは、ＳＣｅｌｌの送信（reporting）に適用される。それに対して、ＰＣｅｌｌからの既存のアソシエーションのいくつかは、ＳＣｅｌｌには適用されない。それゆえに、ＳＣｅｌｌに関するＡＣＫ／ＮＡＣＫビットは、ＳＣｅｌｌ構成には適用不可能なビットを除去し、追加されたアソシエーションにおける適用可能なビットを含む。ＡＣＫ／ＮＡＣＫビットの順序付けは、表１１に示されるセット・インデックスの順序に従う。
【００７８】
【表１１】
2014528658.tif 000013
【００７９】
ＰＣｅｌｌでのＡＣＫ／ＮＡＣＫレポーティングは、ＰＣｅｌｌおよびＳＣｅｌｌ（単数または複数）のアグリゲートされたＡＣＫ／ＮＡＣＫビットとする。ＡＣＫ／ＮＡＣＫアグリゲーションは、セル順序付けにより（例えば、セルインデックス（Ｃｅｌｌ＿ＩＤ）により）各在圏セルのＡＣＫ／ＮＡＣＫビットを多重化することによって実行される。ＰＣｅｌｌは、セルインデックス（Ｃｅｌｌ＿ＩＤ）０を有するので、ＰＣｅｌｌのＡＣＫ／ＮＡＣＫビットが最初にある。ＳＣｅｌｌ（単数または複数）のＡＣＫ／ＮＡＣＫビットは、各セルのセル順序付けに基づいて添付される。例えば、小さい方のＣｅｌｌ＿ＩＤを持つＳＣｅｌｌのＡＣＫ／ＮＡＣＫビットは、大きい方のＣｅｌｌ＿ＩＤを持つＳＣｅｌｌのＡＣＫ／ＮＡＣＫビットより前に添付される。各セルの、および／または、セルを超えたＡＣＫ／ＮＡＣＫバンドリングは、構成またはシグナリングに依存して、適用されてもよく、されなくてもよい。
【００８０】
このアプローチでは、ＵＥにとってＰＣｅｌｌが最も重要なセルである。ＵＥは、ＰＣｅｌｌにキャンプオンして、そこからシステム情報を取得する。ＰＣｅｌｌのみの解決法は、ＵＥモニタリングを簡易にする。本提案のＡＣＫ／ＮＡＣＫアソシエーション・アプローチは、ＡＣＫ／ＮＡＣＫマッピングを統一する。このように、すべてのセルのＡＣＫ／ＮＡＣＫビットがＰＣｅｌｌでの上りリンク送信（reporting）へ分配される。
【００８１】
このアプローチは、上りリンク・モニタリングの簡易さ、後方互換性、および同じ上りリンク送信（reporting）の一致を維持する能力があるため有利である。このアプローチは、ＰＣｅｌｌおよびＳＣｅｌｌ（単数または複数）が任意のＵＬ−ＤＬ構成を有してもよいので有利である。
【００８２】
いくつかの場合、ネットワークは、ＵＬ−ＤＬ構成の可能な組み合わせを制限する。場合によっては、ＰＣｅｌｌは、常にＳＣｅｌｌと同じか、あるいはより短い周期を有さなくてはならない。そのため、ＰＣｅｌｌが５ｍｓ周期を有する場合、ＳＣｅｌｌは５ｍｓまたは１０ｍｓ周期を有する。一方で、ＰＣｅｌｌが１０ｍｓ周期を有する場合、ＳＣｅｌｌも１０ｍｓ周期を有する。別の場合、ＰＣｅｌｌおよびＳＣｅｌｌ（単数または複数）は、常に同じ周期設定を用いなくてはならない。
【００８３】
参照セル（例えば、ＰＣｅｌｌ）に基づくアソシエーション領域の使用は、異なるＵＬ−ＤＬ構成を持つ他のセルから上りリンクＡＣＫ／ＮＡＣＫレポート・ビットを収集するための、簡易なマッピング・アプローチを提供する。しかしながら、アソシエーション領域を使用すると、異なる上りリンク・サブフレームへのＡＣＫ／ＮＡＣＫビットの分配が不均衡になることがある。例えば、ＰＣｅｌｌがＵＬ−ＤＬ構成３を有し、ＳＣｅｌｌがＵＬ−ＤＬ構成２を有する場合には、ＳＣｅｌｌからマッピングされるＡＣＫ／ＮＡＣＫビットの数は、上りリンク・サブフレーム２、３、４に対してそれぞれ５、１、２である。ネットワークは、不均衡なＡＣＫ／ＮＡＣＫビットの分配を扱うことが困難な場合もある。
【００８４】
別のアソシエーション・マッピング・アプローチでは、セルに関するアソシエーション・マッピングが、参照セルにおける上りリンク・サブフレームの数に基づく。一構成において、参照セルは、ＰＣｅｌｌである。ある構成に関するマッピング・ル−ルは、ＡＣＫ／ＮＡＣＫビットを、できるだけ均等に（例えば、バランスを取って）参照セル構成の上りリンク・サブフレームへ分配することを含む。ある構成に関するマッピング・ルールは、スペシャル・サブフレームに関するＡＣＫ／ＮＡＣＫビットを、各上りリンク・サブフレーム上にマッピングされたＡＣＫ／ＮＡＣＫビットの終わりに置くことも含む。これは、スペシャル・サブフレームの下りリンク割当てが少なく、ＰＤＳＣＨ伝送に用いられそうにないためである。さらに、ある構成に関するマッピング・ルールは、下りリンク伝送と、対応する上りリンクＡＣＫ／ＮＡＣＫレポートとの間の距離が、少なくとも４ミリ秒（例えば、４サブフレーム）を必要とすることを含む。
【００８５】
アソシエーション・マッピングは、すべての下りリンク伝送から上りリンクへのマッピングに関する全マッピング距離を最小化することによって改善される（例えば、「最適化される」）。アソシエーション・マッピングは、アソシエーションに関する（例えば、アソシエーション毎の）マッピング距離を最小化することによっても改善される（例えば、「最適化される」）。このため、いくつかの他のアソシエーションにとってはマッピング距離がさらに長くなってしまう場合もある。
【００８６】
異なる参照構成を持つ各ＵＬ−ＤＬ構成のマッピングは、新しいアソシエーション表にて提供されるか、または示される。アソシエーションには多くの可能な組み合わせがある。一構成において、上記の領域マッピングからのアソシエーションは、できるだけ多く再利用される。かかる構成では、極めて不均等に分配されたビットを持つ構成のみが再定義される。しかしながら、どの表が用いられても、参照セルのＵＬ−ＤＬ構成に基づいて固定アソシエーションを定義する原則は変わらない。それゆえに、アソシエーション表が合意され、規格（例えば、３ＧＰＰリリース１１）に指定されている。このアプローチでは、新しいアソシエーションが、参照セル構成に基づいて、ＡＣＫ／ＮＡＣＫビットをすべての上りリンク・マッピング・サブフレームに、より均等に分配する。
【００８７】
上記のアプローチ４では、ＰＵＣＣＨまたはＰＵＳＣＨ送信（reporting）は、任意のサブフレーム番号における１つの在圏セルのみで行われる。在圏セルは、ＰＣｅｌｌ、ＳＣｅｌｌ、またはＰＣｅｌｌおよびＳＣｅｌｌ（単数または複数）の組み合わせとする。例えば、在圏セルは、１つの上りリンク・サブフレームではＰＣｅｌｌであり、別の上りリンク・サブフレームではＳＣｅｌｌである。ある上りリンク・サブフレームで在圏セルがＰＣｅｌｌであるかＳＣｅｌｌであるかに係わらず、在圏セルの上りリンク・サブフレームで送信（reporting）が行われる。
【００８８】
１つのアプローチでは、上りリンク・サブフレーム毎にＰＣｅｌｌおよびＳＣｅｌｌ（単数または複数）を組み合わせることが用いられる。このアプローチでは、あるサブフレームにいずれかの在圏セルが上りリンク割当てを有すれば、上りリンク送信（reporting）アソシエーションが存在する。上りリンク送信（reporting）セルは、上りリンク・サブフレーム毎にセルインデックス（Ｃｅｌｌ＿ＩＤ）の順序に基づいて決定される。ＰＣｅｌｌは、常に最小Ｃｅｌｌ＿ＩＤ（例えば、０）を有する。ＰＣｅｌｌに上りリンク・サブフレームを持つサブフレームでは（例えば、ＰＣｅｌｌが最小Ｃｅｌｌ＿ＩＤを有するので）、上りリンク制御情報（ＵＣＩ）は、ＰＣｅｌｌのＰＵＣＣＨまたはＰＵＳＣＨで送信（report）される。ＰＣｅｌｌに下りリンク・サブフレームを持ち、１つ以上のＳＣｅｌｌに上りリンク・サブフレームを持つサブフレームでは、ＵＣＩは、ＳＣｅｌｌのＰＵＣＣＨまたはＰＵＳＣＨで送信（report）される。複数のＳＣｅｌｌが同じサブフレームに上りリンク・サブフレームを有する場合には、最小セルインデックス（Ｃｅｌｌ＿ＩＤ）を持つＳＣｅｌｌにおける上りリンク・サブフレームが用いられる。このように、在圏セルは、事実上、組み合わされたＵＬ−ＤＬ構成（単数または複数）からなるスーパーセットＵＬ−ＤＬ構成を定義する。例えば、スーパーセットＵＬ−ＤＬ構成は、サブフレームにおけるいずれかのセルが上りリンク・サブフレームを有すれば、上りリンク割当てを有する。この場合もやはり、異なるＵＬ−ＤＬ構成を用いたバンド間キャリアアグリゲーションに関して、下りリンク伝送に対するＡＣＫ／ＮＡＣＫをアグリゲートして送信（report）するいくつかの新しいルールが規定される必要がある。
【００８９】
一構成において、ＡＣＫ／ＮＡＣＫアグリゲーションは、（例えば、３ＧＰＰリリース８、９および１０におけるように）各セルに同じアソシエーションを維持させる。一例において、上りリンク・サブフレームを持つすべてのセルのＡＣＫ／ＮＡＣＫビットが、Ｃｅｌｌ＿ＩＤの順序付けに基づいて一緒に多重化される。アグリゲートされたＡＣＫ／ＮＡＣＫビットは、選択されたセル（例えば、上りリンク送信（reporting）セル）の上りリンク・サブフレームで送信（report）される。このアプローチは、上りリンクＡＣＫ／ＮＡＣＫ送信（reporting）アソシエーションに関する後方互換性の利点を有する。このアプローチの欠点は、異なる上りリンク・サブフレームにおけるＡＣＫ／ＮＡＣＫレポートの変動的なペイロード・サイズである。例えば、１つだけのセルが上りリンク割当てを有するサブフレームでは、１つだけのセルのＡＣＫ／ＮＡＣＫビットが、ＰＵＣＣＨまたはＰＵＳＣＨ  ＵＣＩレポートで運ばれる。しかしながら、複数のセルが上りリンク割当てを有するサブフレームでは、これらのセルのＡＣＫ／ＮＡＣＫビットがアグリゲートされて、１つの選択されたセルにおけるＰＵＣＣＨまたはＰＵＳＣＨ  ＵＣＩレポートで運ばれる。従って、ＡＣＫ／ＮＡＣＫペイロードを持つ複数のセルでは、ＡＣＫ／ＮＡＣＫペイロードを持つ単一のセルに比べて、著しく大きいペイロードを生じうる。異なる上りリンク・サブフレームにおけるＡＣＫ／ＮＡＣＫペイロードの大きな変動は、ＡＣＫ／ＮＡＣＫ性能の大きな変動をもたらす。結果として、ネットワークは、最高ペイロードでのＡＣＫ／ＮＡＣＫの送信（reporting）性能が満たされうるように設計されなければならない。これは、セルカバレッジの範囲を必然的に減少させる。
【００９０】
それゆえに、すべてのセルからのＡＣＫ／ＮＡＣＫビットを上りリンク送信（report）へより均等に分配するアプローチが望ましい。このアプローチは、すべてのセルにおけるすべての上りリンク割当てを組み合わせることによってすべてのセルから導出されるスーパーセット構成を定義する。ｔｗｏの場合、スーパーセットは、既存のＵＬ−ＤＬ構成にはない割当てをもたらす。これらのＵＬ−ＤＬ構成は、現在存在しないので、これら２つの新しいスーパーセットＵＬ−ＤＬ構成に対応するすべてのアソシエーションが新しい。
【００９１】
ＡＣＫ／ＮＡＣＫビットをより均等に分配するために、スーパーセットＵＬ−ＤＬ構成に基づく上りリンク・アソシエーションが参照セルとして用いられる。対応するＡＣＫ／ＮＡＣＫビットが、次に、選択された上りリンク・サブフレームで伝送される。スーパーセットＵＬ−ＤＬ構成とともに、前述のアソシエーション・マッピング・アプローチが用いられてもよい。例えば、アソシエーション領域に基づくアソシエーションが用いられる。別の例では、バランスの取れた分配に基づくアソシエーションが用いられる。
【００９２】
異なる周期を持つＵＬ−ＤＬ構成がバンド間キャリアアグリゲーションに用いられる場合、ＵＬ−ＤＬ構成ｔｗｏ＋ｔｈｒｅｅ（例えば、“２＋３”）およびＵＬ−ＤＬ構成ｔｗｏ＋ｆｏｕｒ（例えば、“２＋４”）が新しく追加された構成である。新しいスーパーセットＵＬ−ＤＬ構成は、参照ＵＬ−ＤＬ構成として用いられる。一構成において、アソシエーション領域マッピング・アプローチが、スーパーセットＵＬ−ＤＬ構成によるアソシエーション・マッピングに用いられる。別の構成では、より均等な分配マッピング・アプローチが、スーパーセットＵＬ−ＤＬ構成による分配マッピングに用いられる。
【００９３】
スーパーセットＵＬ−ＤＬ構成を形成するためにＵＬ−ＤＬ構成２およびＵＬ−ＤＬ構成３が組み合わされる場合、新しい上りリンクＡＣＫ／ＮＡＣＫレポート・アソシエーションが定義される必要がある。アソシエーション領域に基づくアプローチにおいて、すべてのセルのサブフレーム３、４、５に対するＡＣＫ／ＮＡＣＫは、次の無線フレームのサブフレーム２における上りリンクで送信（report）される。同様に、すべてのセルのサブフレーム６、７に対するＡＣＫ／ＮＡＣＫは、次の無線フレームのサブフレーム３における上りリンクで送信（report）される。加えて、すべてのセルのサブフレーム８、９に対するＡＣＫ／ＮＡＣＫは、次の無線フレームのサブフレーム４における上りリンクで送信（report）される。さらに、すべてのセルのサブフレーム０、１に対するＡＣＫ／ＮＡＣＫは、同じ無線フレームのサブフレーム７における上りリンクで送信（report）される。
【００９４】
スーパーセットＵＬ−ＤＬ構成を形成するためにＵＬ−ＤＬ構成２およびＵＬ−ＤＬ構成４が組み合わされた場合、新しい上りリンクＡＣＫ／ＮＡＣＫレポート・アソシエーションが定義される必要がある。アソシエーション領域に基づくアプローチにおいて、すべてのセルのサブフレーム３、４、５に対するＡＣＫ／ＮＡＣＫは、次の無線フレームのサブフレーム２における上りリンクで送信（report）される。同様に、すべてのセルのサブフレーム６、７、８に対するＡＣＫ／ＮＡＣＫは、次の無線フレームのサブフレーム３における上りリンクで送信（report）される。加えて、すべてのセルの現在の無線フレームにおけるサブフレーム９ならびに次の無線フレームのサブフレーム０、１に対するＡＣＫ／ＮＡＣＫは、次の無線フレームのサブフレーム７における上りリンクで送信（report）される。
【００９５】
別の構成では、より均等な分配マッピング・アプローチが、スーパーセットＵＬ−ＤＬ構成によるアソシエーション・マッピングに用いられる。異なる周期を持つＵＬ−ＤＬ構成がバンド間キャリアアグリゲーションに用いられない場合、既存のＵＬ−ＤＬ構成（例えば、ＵＬ−ＤＬ構成０〜６）だけが用いられる必要がある。指定されないＵＬ−ＤＬ割当ての使用を回避するために、すべてのバンドにおいて同じ周期設定が用いられる。いくつかの構成においては、参照セルが確定される必要がある。いくつかの場合、１つだけのセルが参照セルとして選択される。このセルは、ＰＣｅｌｌ、またはＳＣｅｌｌのセットのうちの１つとする。ＡＣＫ／ＮＡＣＫ送信（reporting）は、選択された参照セルに基づく前述のアプローチ（例えば、アソシエーション領域に基づくマッピング、より均等な分配に基づくマッピング）のいずれかに従う。参照セルを選択するためのいくつかのルールが規定される。
【００９６】
第１に、複数のセルが異なる周期（例えば、５ｍｓおよび１０ｍｓ周期の組み合わせ）を有する場合、５ｍｓ周期を持つセルが参照セルとして選択される。これは、１０ｍｓ周期の設定が５ｍｓ周期の遅延要件を満たすことができないためである。例えば、１つのバンドにおける１つのセルが（例えば、５ｍｓ周期を有する）ＵＬ−ＤＬ構成２を持ち、別のバンドにおける別のセルが（例えば、１０ｍｓ周期の）ＵＬ−ＤＬ構成４を持つ場合には、ＵＬ−ＤＬ構成２を持つセルが参照セルとして用いられるべきである。選択される参照セルは、ＰＣｅｌｌまたはＳＣｅｌｌとする。ＡＣＫ／ＮＡＣＫ送信（reporting）は、前述のアソシエーション・マッピング・アプローチの１つに従う。選択されるアソシエーション・マッピング・アプローチは、選択される参照セルに基づくアプローチであり、選択される参照セルで送信（report）される。
【００９７】
第２に、同じ周期を持つセルのうちでは、より多くの上りリンク割当てを持つセルが参照セルとして選択される。より多くの上りリンク割当てを持つＵＬ−ＤＬ構成は、より少ない上りリンク割当てを持つＵＬ−ＤＬ構成に比べて、より低いＡＣＫ／ＮＡＣＫペイロードを持つ送信（reporting）インスタンスを提供する。例えば、１つのバンドにおける１つのセルが（例えば、２つのＵＬ割当てを持つ５ｍｓ周期の）ＵＬ−ＤＬ構成２を持ち、別のバンドにおける別のセルが（例えば、１つのＵＬ割当てを持つ５ｍｓ周期の）ＵＬ−ＤＬ構成１を持つ場合、（例えば、より大きいＵＬ割当てを持つ）ＵＬ−ＤＬ構成２を持つセルが、参照セルとして用いられる。選択されるセルは、ＰＣｅｌｌまたはＳＣｅｌｌとする。
【００９８】
ＡＣＫ／ＮＡＣＫ送信（reporting）は、選択された参照セルに基づく前述の割当てマッピング・アプローチの１つに従う。アソシエーションは、アソシエーション領域マッピングを用いることによって得られるか、またはより均等な分配マッピングを用いることによって得られる。
【００９９】
一実装において、上りリンク送信（report）は、選択されたセルのみで行われる。このアプローチは、上りリンク・チャネル・モニタリングを簡易にする。別の実装では、上りリンク伝送（例えば、ＵＬサブフレーム）毎に上記の参照セル選択を実行する。参照セルにおける上りリンク割当てに関して、実際の上りリンク送信（reporting）は、最小Ｃｅｌｌ＿ＩＤを有する上りリンク・サブフレームを持つセルで行われる。最小Ｃｅｌｌ＿ＩＤを持つセルは、参照セルと同じであることも、ないこともある。ＰＣｅｌｌは、常に最小Ｃｅｌｌ＿ＩＤ（例えば、Ｃｅｌｌ＿ＩＤ＝０）を有する。ＰＣｅｌｌに上りリンク・サブフレームを持つサブフレームでは、ＵＣＩは、ＰＣｅｌｌのＰＵＣＣＨまたはＰＵＳＣＨで送信（report）される。ＰＣｅｌｌに下りリンク・サブフレームを持ち、１つ以上のＳＣｅｌｌに上りリンク・サブフレームを持つサブフレームでは、ＵＣＩは、１つのＳＣｅｌｌのＰＵＣＣＨまたはＰＵＳＣＨで送信（report）される。複数のＳＣｅｌｌが同じサブフレームに上りリンク・サブフレームを有する場合、最小セルインデックス（Ｃｅｌｌ＿ＩＤ）を持つＳＣｅｌｌにおける上りリンク・サブフレームが用いられる。
【０１００】
いくつかの構成において、異なるアソシエーション・マッピング・アプローチが異なるセルで同時に用いられる。例えば、第１のアソシエーション・マッピング・アプローチがＰＣｅｌｌで用いられ、一方では第２のアソシエーション・マッピング・アプローチがＳＣｅｌｌで用いられる。
【０１０１】
次に、図面を参照して様々な構成を記載する。図面中、同様の参照番号は機能的に類似した要素を示す。本明細書において図面に一般的に記載され、説明されるシステムおよび方法は、多種多様に異なった構成に配置され、設計されてもよい。従って、図面に表現される、いくつかの構成の以下のさらに詳細な記載は、特許請求の範囲を限定するものではなく、システムおよび方法を単に代表するに過ぎない。
【０１０２】
図１は、異なる二重構成を用いて上りリンク情報を送信（report）するためのシステムおよび方法が実装される、１つ以上の基地局装置（ｅＮＢ）１６０および１つ以上の端末装置（ＵＥ）１０２の一構成を示すブロック・ダイアグラムである。１つ以上のＵＥ１０２は、１本以上のアンテナ１２２ａ〜ｎを用いて１つ以上の基地局装置（ｅＮＢ）１６０と通信する。例えば、ＵＥ１０２は、１つ以上のアンテナ１２２ａ〜ｎを用いてｅＮＢ１６０へ電磁信号を送信し、ｅＮＢ１６０から電磁信号を受信する。ｅＮＢ１６０は、１つ以上のアンテナ１８０ａ〜ｎを用いてＵＥ１０２と通信する。留意すべきは、いくつかの構成において、ｅＮＢ１６０がＮｏｄｅ  Ｂ、ｈｏｍｅ  ｅｖｏｌｖｅｄ  Ｎｏｄｅ  Ｂ（ＨｅＮＢ）または他の種類の基地局であってもよいことである。
【０１０３】
ＵＥ１０２およびｅＮＢ１６０は、相互に通信するために１つ以上のチャネル１１９、１２１を用いる。例えば、ＵＥ１０２は、１つ以上の上りリンク・チャネル１２１を用いてｅＮＢ１６０へ情報またはデータを伝送する。上りリンク・チャネル１２１の例は、物理上りリンク制御チャネル（ＰＵＣＣＨ）および物理上りリンク共有チャネル（ＰＵＳＣＨ）などを含む。１つ以上のｅＮＢ１６０も、例として、１つ以上の下りリンク・チャネル１１９を用いて、１つ以上のＵＥ１０２へ情報またはデータを伝送する。下りリンク・チャネル１１９の例は、物理下りリンク制御チャネル（ＰＤＣＣＨ）、物理下りリンク共有チャネル（ＰＤＳＣＨ）などを含む。他の種類のチャネルを用いてもよい。
【０１０４】
１つ以上のＵＥ１０２のそれぞれは、１つ以上のトランシーバ１１８、１つ以上の復調器１１４、１つ以上のデコーダ１０８、１つ以上のエンコーダ１５０、１つ以上の変調器１５４およびＵＥ操作モジュール１２４を含む。例えば、ＵＥ１０２では１つ以上の受信および／または伝送経路が用いられる。便宜上、ＵＥ１０２では単一のトランシーバ１１８、デコーダ１０８、復調器１１４、エンコーダ１５０および変調器１５４だけが示されるが、実装によっては複数の並列要素（例えば、トランシーバ１１８、デコーダ１０８、復調器１１４、エンコーダ１５０および変調器１５４）が用いられてもよい。
【０１０５】
トランシーバ１１８は、１つ以上の受信機１２０および１つ以上の送信機１５８を含む。１つ以上の受信機１２０は、１つ以上のアンテナ１２２ａ〜ｎを用いてｅＮＢ１６０から信号を受信する。例えば、受信機１２０は、１つ以上の受信信号１１６を生成するために、信号を受信してダウンコンバートする。１つ以上の受信信号１１６は、復調器１１４に供給される。１つ以上の送信機１５８は、１つ以上のアンテナ１２２ａ〜ｎを用いてｅＮＢ１６０へ信号を伝送する。例えば、１つ以上の送信機１５８は、１つ以上の変調信号１５６をアップコンバートして伝送する。
【０１０６】
復調器１１４は、１つ以上の復調信号１１２を生成するために、１つ以上の受信信号１１６を復調する。１つ以上の復調信号１１２は、デコーダ１０８に供給される。ＵＥ１０２は、信号を復号するためにデコーダ１０８を用いる。デコーダ１０８は、１つ以上の復号信号１０６、１１０を生成する。例えば、第１のＵＥ復号信号１０６は、受信されたペイロード・データ１０４を備える。第２のＵＥ復号信号１１０は、オーバーヘッド・データおよび／または制御データを備える。例えば、第２のＵＥ復号信号１１０は、１つ以上の操作を実行するためにＵＥ操作モジュール１２４によって用いられるデータを供給する。
【０１０７】
本明細書では、用語「モジュール」は、特定の要素またはコンポーネントが、ハードウェア、ソフトウェアあるいはハードウェアとソフトウェアとの組み合わせで実装されることを意味する。しかしながら、留意すべきは、本明細書に「モジュール」として示される任意の要素が、代わりにハードウェアで実装されてもよいことである。例えば、ＵＥ操作モジュール１２４は、ハードウェア、ソフトウェアまたは両方の組み合わせで実装されてもよい。
【０１０８】
一般に、ＵＥ操作モジュール１２４は、ＵＥ１０２が１つ以上のｅＮＢ１６０と通信することを可能にする。ＵＥ操作モジュール１２４は、ＵＥ構成アグリゲーション・モジュール１２６を含む。ＵＥ構成アグリゲーション・モジュール１２６は、ＵＬ−ＤＬ構成１２８、セル・マッピング１３０、アソシエーション・マッピング１３２およびアグリゲート・モジュール１３４を含む。
【０１０９】
ＵＬ−ＤＬ構成１２８は、ＵＥ１０２とｅＮＢ１６０との間の通信に用いられるＵＬ−ＤＬ構成のセットを指定する。ＵＬ−ＤＬ構成１２８の例は、前述のＵＬ−ＤＬ構成０〜６、スーパーセット構成（例えば、構成２＋３、２＋４）、任意の他の構成などを含む。ＵＬ−ＤＬ構成１２８は、適切な通信およびスケジューリングのために、ＵＥ構成アグリゲーション・モジュール１２６、ＵＥ操作モジュール１２４およびＵＥ１０２によって用いられる。例えば、ＵＬ−ＤＬ構成１２８は、ｅＮＢ１６０から情報を受信するためのサブフレームを示し、かつｅＮＢ１６０へ情報を伝送するためのサブフレームを示す。ＵＬ−ＤＬ構成１２８は、通信のタイミング・シーケンスを示す。例えば、ＵＥ１０２は、ＤＬサブフレームの間に受信し、ＵＬサブフレームの間に伝送する。セルにおける適切な通信のために、同じＵＬ−ＤＬ構成１２８が、ＵＥ１０２およびｅＮＢ１６０によって同じセルで用いられる。しかしながら、異なるＵＬ−ＤＬ構成１２８が異なるセルで用いられてもよい。
【０１１０】
セル・マッピング１３０は、ＵＥ１０２が１つ以上のｅＮＢ１６０と通信するために用いているセルの数を示す。加えて、セル・マッピング１３０は、各セルのＵＬ−ＤＬ構成１２８（例えば、構成０〜６、２＋３、２＋４など）を示す。例えば、ＵＥ１０２は、ＰＣｅｌｌおよび２つのＳＣｅｌｌで１つ以上のｅＮＢ１６０と通信する。セル・マッピング１３０は、ＰＣｅｌｌがＣｅｌｌ＿ＩＤ０を含むこと、およびＰＣｅｌｌが特定のＵＬ−ＤＬ構成１２８（例えば、構成２）を用いていることを示す。セル・マッピング１３０は、第１のＳＣｅｌｌがＣｅｌｌ＿ＩＤ１を含むこと、および第１のＳＣｅｌｌが特定のＵＬ−ＤＬ構成１２８（例えば、構成４）を用いていることも示す。加えて、セル・マッピング１３０は、第２のＳＣｅｌｌがＣｅｌｌ＿ＩＤ２を含むこと、および第２のＳＣｅｌｌが特定のＵＬ−ＤＬ構成１２８（例えば、構成５）を用いていることを示す。
【０１１１】
アソシエーション・マッピング１３２は、特定のアソシエーション・マッピング・アプローチを所与として、特定のＵＬ−ＤＬ構成１２８に関する上りリンク送信（reporting）アソシエーションを示す。例えば、ＵＥ構成アグリゲーション・モジュール１２６は、前述の例のセル・マッピング１３０とともに、より均等な分配マッピング・アプローチが用いられることを示す。例として、ＡＣＫ／ＮＡＣＫビットは、多くのサブフレーム内にできるだけ均等に割当てられる。この例では、アソシエーション・マッピング１３２が、ＰＣｅｌｌ（例えば、構成２に関するマッピング）、第１のＳＣｅｌｌ（例えば、構成４に関するマッピング）および第２のＳＣｅｌｌ（例えば、構成５に関するマッピング）のためのより均等な分配マッピングを指定する。一構成において、アソシエーション・マッピング１３２は、マッピング表を含む。
【０１１２】
アグリゲート・モジュール１３４は、アソシエーション・マッピング１３２およびセル・マッピング１３０に基づいてＵＣＩ（例えば、ＡＣＫ／ＮＡＣＫビット）をアグリゲートする。アグリゲーションの順序は、各セルのＣｅｌｌ＿ＩＤ（例えば、セル・マッピング１３０）に基づいて確定される。例えば、アグリゲート・モジュール１３４は、初めにＣｅｌｌ＿ＩＤ０（例えば、ＰＣｅｌｌ）からのＡＣＫ／ＮＡＣＫビットをアグリゲートし、次にＣｅｌｌ＿ＩＤ１（例えば、第１のＳＣｅｌｌ）からのＡＣＫ／ＮＡＣＫビットをアグリゲートし、その後にＣｅｌｌ＿ＩＤ２（例えば、第２のＳＣｅｌｌ）からのＡＣＫ／ＮＡＣＫビットをアグリゲートする。アグリゲート・モジュール１３４は、各ＵＬサブフレームに基づいてアグリゲートする。特定の上りリンク・サブフレームに関連付けられた任意の上りリンク・アソシエーションは、その特定の上りリンク・サブフレーム上で送信（report）される。各ＵＬサブフレーム上で送信（report）されるＡＣＫ／ＮＡＣＫビットの数は、アソシエーション・マッピング１３２および各セルのＵＬ−ＤＬ構成に依存する。ＡＣＫ／ＮＡＣＫビットを送信（report）するための上りリンク・アソシエーションが以下にさらに詳細に記載される。
【０１１３】
ＵＥ操作モジュール１２４は、１つ以上の受信機１２０に情報１４８を提供する。例えば、ＵＥ操作モジュール１２４は、ＵＬ−ＤＬ構成１２８およびセル・マッピング１３０に基づいて、伝送をいつ受信すべきか、あるいはいつすべきでないかを受信機（単数または複数）１２０に通知する。
【０１１４】
ＵＥ操作モジュール１２４は、復調器１１４に情報１３８を提供する。例えば、ＵＥ操作モジュール１２４は、ｅＮＢ１６０からの伝送に予想される変調パターンを復調器１１４に通知する。いくつかの実装において、これは、所与のセルのＵＬ−ＤＬ構成１２８に基づく。
【０１１５】
ＵＥ操作モジュール１２４は、デコーダ１０８に情報１３６を提供する。例えば、ＵＥ操作モジュール１２４は、ｅＮＢ１６０からの伝送に予想される符号化法をデコーダ１０８に通知する。いくつかの実装において、これは、所与のセルのＵＬ−ＤＬ構成１２８に基づく。
【０１１６】
ＵＥ操作モジュール１２４は、エンコーダ１５０に情報１４２を提供する。情報１４２は、符号化されるべきデータおよび／または符号化に関する命令を含む。例えば、ＵＥ操作モジュール１２４は、与えられたセルのＵＬ−ＤＬ構成１２８に基づいて、伝送データ１４６および／または制御情報１４２を符号化するようにエンコーダ１５０に命令する。
【０１１７】
エンコーダ１５０は、伝送データ１４６および／またはＵＥ操作モジュール１２４によって提供された他の情報１４２を符号化する。例えば、データ１４６および／または他の情報１４２の符号化は、誤り検出および／または訂正符号化、伝送のための空間、時間および／または周波数リソースへのデータのマッピング、多重化などを伴う。エンコーダ１５０は、変調器１５４に符号化データ１５２を供給する。
【０１１８】
ＵＥ操作モジュール１２４は、変調器１５４に情報１４４を提供する。例えば、ＵＥ操作モジュール１２４は、ｅＮＢ１６０への伝送に用いられるべき変調型（例えば、コンステレーション・マッピング）を変調器１５４に通知する。いくつかの構成において、これは、ＵＬ−ＤＬ構成１２８に基づく。変調器１５４は、１つ以上の送信機１５８に１つ以上の変調信号１５６を供給するために、符号化データ１５２を変調する。
【０１１９】
ＵＥ操作モジュール１２４は、１つ以上の送信機１５８に情報１４０を提供する。この情報１４０は、１つ以上の送信機１５８に対する命令を含む。例えば、ＵＥ操作モジュール１２４は、ｅＮＢ１６０へ信号をいつ伝送すべきかを１つ以上の送信機１５８に命令する。いくつかの構成において、これは、ＵＬ−ＤＬ構成１２８に基づく。例として、１つ以上の送信機１５８は、下りリンク・サブフレームの間に伝送する。１つ以上の送信機１５８は、１つ以上のｅＮＢ１６０へ変調信号（単数または複数）１５６をアップコンバートして伝送する。
【０１２０】
ｅＮＢ１６０は、１つ以上のトランシーバ１７６、１つ以上の復調器１７２、１つ以上のデコーダ１６６、１つ以上のエンコーダ１０９、１つ以上の変調器１１３およびｅＮＢ操作モジュール１８２を含む。例えば、ｅＮＢ１６０では１つ以上の受信および／または伝送経路が用いられる。便宜上、ｅＮＢ１６０では単一のトランシーバ１７６、デコーダ１６６、復調器１７２、エンコーダ１０９および変調器１１３だけが示されるが、実装によっては複数の並列要素（例えば、トランシーバ１７６、デコーダ１６６、復調器１７２、エンコーダ１０９および変調器１１３）が用いられてもよい。
【０１２１】
トランシーバ１７６は、１つ以上の受信機１７８および１つ以上の送信機１１７を含む。１つ以上の受信機１７８は、１つ以上のアンテナ１８０ａ〜ｎを用いてＵＥ１０２から信号を受信する。例えば、受信機１７８は、１つ以上の受信信号１７４を生成するために、信号を受信してダウンコンバートする。１つ以上の受信信号１７４は、復調器１７２に供給される。１つ以上の送信機１１７は、１つ以上のアンテナ１８０ａ〜ｎを用いてＵＥ１０２へ信号を伝送する。例えば、１つ以上の送信機１１７は、１つ以上の変調信号１１５をアップコンバートして伝送する。
【０１２２】
復調器１７２は、１つ以上の復調信号１７０を生成するために、１つ以上の受信信号１７４を復調する。１つ以上の復調信号１７０は、デコーダ１６６に供給される。ｅＮＢ１６０は、信号を復号するためにデコーダ１６６を用いる。デコーダ１６６は、１つ以上の復号信号１６４、１６８を生成する。例えば、第１のｅＮＢ復号信号１６４は、受信されたペイロード・データ１６２を備える。第２のｅＮＢ復号信号１６８は、オーバーヘッド・データおよび／または制御データを備える。例えば、第２のｅＮＢ復号信号１６８は、１つ以上の操作を実行するためにｅＮＢ操作モジュール１８２によって用いられるデータを供給する。
【０１２３】
ｅＮＢ操作モジュール１８２は、ｅＮＢ構成アグリゲーション・モジュール１８４を含む。ｅＮＢ構成アグリゲーション・モジュール１８４は、ＵＬ−ＤＬ構成１９４、セル・マッピング１９６、アソシエーション・マッピング１９８、およびデアグリゲート・モジュール１０７を含む。
【０１２４】
ＵＬ−ＤＬ構成１９４は、ｅＮＢ１６０とＵＥ１０２の間の通信に用いられるＵＬ−ＤＬ構成１９４のセットを指定する。ＵＬ−ＤＬ構成１９４の例は、前述の構成０〜６、スーパーセット構成（例えば、構成２＋３、２＋４）、任意の他の構成などを含む。ＵＬ−ＤＬ構成１９４は、適切な通信およびスケジューリングのために、ｅＮＢ構成アグリゲーション・モジュール１８４、ｅＮＢ操作モジュール１８２、およびｅＮＢ１６０によって用いられる。例えば、ＵＬ−ＤＬ構成１９４は、ＵＥ１０２から情報を受信するためのサブフレームを示し、かつＵＥ１０２へ情報を伝送するためのサブフレームを示す。ＵＬ−ＤＬ構成１９４は、通信のタイミング・シーケンスを示す。例えば、ＵＥ１０２は、ＤＬサブフレームの間に受信し、ＵＬサブフレームの間に伝送する。従って、適切な通信のために、同じＵＬ−ＤＬ構成１９４がｅＮＢ１６０およびＵＥ１０２によって同じセルで用いられる。しかしながら、異なるＵＬ−ＤＬ構成１９４が異なるセルで用いられてもよい。
【０１２５】
セル・マッピング１９６は、ｅＮＢ１６０がＵＥ１０２と通信するために用いているセルの数を示す。加えて、セル・マッピング１９６は、各セルのＵＬ−ＤＬ構成１９４（例えば、構成０〜６、２＋３、２＋４など）を示す。例えば、ｅＮＢ１６０は、ＰＣｅｌｌおよび２つのＳＣｅｌｌでＵＥ１０２に接続される。セル・マッピング１９６は、ｅＮＢ１６０がＣｅｌｌ＿ＩＤ０を持つＰＣｅｌｌを用いてＵＥ１０２に接続されていること、およびＰＣｅｌｌが特定のＵＬ−ＤＬ構成１９４（例えば、構成２）を用いていること示す。セル・マッピング１９６は、ｅＮＢ１６０がＣｅｌｌ＿ＩＤ１を持つＳＣｅｌｌを用いてＵＥ１０２に接続されていること、およびＳＣｅｌｌが特定のＵＬ−ＤＬ構成１９４（例えば、構成４）を用いていることも示す。加えて、セル・マッピング１９６は、ｅＮＢ１６０がＣｅｌｌ＿ＩＤ２を持つ別のＳＣｅｌｌを用いてＵＥ１０２に接続され、特定のＵＬ−ＤＬ構成１９４（例えば、構成５）を用いていることも示す。
【０１２６】
アソシエーション・マッピング１９８は、特定のアソシエーション・マッピング・アプローチを所与として、特定のＵＬ−ＤＬ構成１９４に関する上りリンク送信（reporting）アソシエーションを示す。例えば、ｅＮＢ構成アグリゲーション・モジュール１８４は、前述の例のセル・マッピング１９６とともに、より均等な分配マッピング・アプローチが用いられることを示す。この例では、アソシエーション・マッピング１９８が、ＰＣｅｌｌ（例えば、構成２に関するマッピング）、第１のＳＣｅｌｌ（例えば、構成４に関するマッピング）および第２のＳＣｅｌｌ（例えば、構成５に関するマッピング）のための（上記のような）より均等な分配マッピングを指定する。一構成において、アソシエーション・マッピング１９８は、マッピング表を含む。
【０１２７】
デアグリゲート・モジュール１０７は、アソシエーション・マッピング１９８およびセル・マッピング１９６に基づいてＵＣＩ（例えば、ＡＣＫ／ＮＡＣＫビット）をデアグリゲートする。デアグリゲーションの順序は、各セルのＣｅｌｌ＿ＩＤ（例えば、セル・マッピング１９６）に基づいて確定される。例えば、デアグリゲート・モジュール１０７は、Ｃｅｌｌ＿ＩＤ０（例えば、ＰＣｅｌｌ）からのＡＣＫ／ＮＡＣＫビットを、Ｃｅｌｌ＿ＩＤ１（例えば、第１のＳＣｅｌｌ）からのＡＣＫ／ＮＡＣＫビットから、およびＣｅｌｌ＿ＩＤ２（例えば、第２のＳＣｅｌｌ）からのＡＣＫ／ＮＡＣＫビットからデアグリゲートする。デアグリゲート・モジュール１０７は、また、Ｃｅｌｌ＿ＩＤ１（例えば、第１のＳＣｅｌｌ）からのＡＣＫ／ＮＡＣＫビットを、Ｃｅｌｌ＿ＩＤ２（例えば、第２のＳＣｅｌｌ）からのＡＣＫ／ＮＡＣＫビットからデアグリゲートする。デアグリゲート・モジュール１０７は、各ＵＬサブフレームに基づいてデアグリゲートする。各ＵＬサブフレーム上で送信（report）されるＡＣＫ／ＮＡＣＫビットの数は、各セルのアソシエーション・マッピング１９８およびＵＬ−ＤＬ構成１９４に依存する。ＡＣＫ／ＮＡＣＫビットを送信（report）するための上りリンク・アソシエーションが以下にさらに詳細に記載される。
【０１２８】
ｅＮＢ操作モジュール１８２は、１つ以上の受信機１７８に情報１９０を提供する。例えば、ｅＮＢ操作モジュール１８２は、所与の（与えられた）セルに関するＵＬ−ＤＬ構成１９４に基づいて、伝送をいつ受信すべきか、あるいはいつすべきでないかを受信機（単数または複数）１７８に通知する。
【０１２９】
ｅＮＢ操作モジュール１８２は、復調器１７２に情報１８８を提供する。例えば、ｅＮＢ操作モジュール１８２は、ＵＥ（単数または複数）１０２からの伝送に予想される変調パターンを復調器１７２に通知する。いくつかの構成において、これは、所与のセルに関するＵＬ−ＤＬ構成１９４に基づく。
【０１３０】
ｅＮＢ操作モジュール１８２は、デコーダ１６６に情報１８６を提供する。例えば、ｅＮＢ操作モジュール１８２は、ＵＥ（単数または複数）１０２からの伝送に予想される符号化法をデコーダ１６６に通知する。いくつかの構成において、これは、所与のセルに関するＵＬ−ＤＬ構成１９４に基づく。
【０１３１】
ｅＮＢ操作モジュール１８２は、エンコーダ１０９に情報１０１を提供する。情報１０１は、符号化されるべきデータおよび／または符号化のための命令を含む。例えば、ｅＮＢ操作モジュール１８２は、所与のセルに関するＵＬ−ＤＬ構成１９４に基づいて、伝送データ１０５および／または制御情報１０１を符号化するようにエンコーダ１０９に命令する。
【０１３２】
エンコーダ１０９は、伝送データ１０５および／またはｅＮＢ操作モジュール１８２によって提供される他の情報１０１を符号化する。例えば、データ１０５および／または他の情報１０１の符号化は、誤り検出および／または訂正符号化、伝送のための空間、時間および／または周波数リソースへのデータのマッピング、多重化などを伴う。エンコーダ１０９は、変調器１１３に符号化データ１１１を供給する。伝送データ１０５は、ＵＥ１０２へ伝えられるべきネットワーク・データを含む。
【０１３３】
ｅＮＢ操作モジュール１８２は、変調器１１３に情報１０３を提供する。この情報１０３は、変調器１１３に対する命令を含む。例えば、ｅＮＢ操作モジュール１８２は、ＵＥ（単数または複数）１０２への伝送に用いられるべき変調型（例えば、コンステレーション・マッピング）を変調器１１３に通知する。いくつかの構成において、これは、所与のセルに関するＵＬ−ＤＬ構成１９４に基づく。変調器１１３は、１つ以上の送信機１１７に１つ以上の変調信号１１５を供給するために符号化データ１１１を変調する。
【０１３４】
ｅＮＢ操作モジュール１８２は、１つ以上の送信機１１７に情報１９２を提供する。この情報１９２は、１つ以上の送信機１１７に対する命令を含む。例えば、ｅＮＢ操作モジュール１８２は、ＵＥ（単数または複数）１０２への信号をいつ送信すべきか（あるいはいつすべきでないか）を１つ以上の送信機１１７に命令する。いくつかの実装において、これは、現在の構成１９４に基づく。１つ以上の送信機１１７は、１つ以上のＵＥ１０２へ変調信号（単数または複数）１１５をアップコンバートして送信する。
【０１３５】
留意すべきは、下りリンク・サブフレームがｅＮＢ１６０から１つ以上のＵＥ１０２へ伝送されること、および上りリンク・サブフレームが１つ以上のＵＥ１０２からｅＮＢ１６０へ伝送されることである。さらに、ｅＮＢ１６０と１つ以上のＵＥ１０２は、標準的スペシャル・サブフレームでデータを伝送することができる。
【０１３６】
図２は、ＵＥ１０２において情報を送信（report）するための方法２００の一構成を示すフロー・ダイアグラムである。ＵＥ１０２は、参照ＵＬ−ＤＬ構成を有する参照セルを選択する（ステップ２０２）。ＵＥ１０２は、セル・マッピング１３０に基づいて参照セルを選択する。一構成において、参照セルは、最小Ｃｅｌｌ＿ＩＤを持つセルである。例えば、ＰＣｅｌｌが参照セルとして選択される。別の構成では、参照セルは、任意のセルに関して上りリンク・サブフレーム毎に確定される。この構成では、特定の上りリンク・サブフレームに対して最小Ｃｅｌｌ＿ＩＤを持つセルが参照セルとして選択される。
【０１３７】
参照セルは、参照ＵＬ−ＤＬ構成を有する。セル・マッピング１３０は、特定のセルに関するＵＬ−ＤＬ構成を指定する。一構成において、参照ＵＬ−ＤＬ構成は、参照セルのＵＬ−ＤＬ構成である。別の構成では、参照ＵＬ−ＤＬ構成は、セル・マッピング１３０において指定されるＵＬ−ＤＬ構成とは異なるＵＬ−ＤＬ構成である。参照ＵＬ−ＤＬ構成は、ＵＬ−ＤＬ構成１２８において指定されるＵＬ−ＤＬ構成の１つである。
【０１３８】
ＵＥ１０２は、参照セルから第１の上りリンク・サブフレームを選択する（ステップ２０４）。例えば、ＵＥ１０２は、上りリンク送信（reporting）のための第１の上りリンク・サブフレームを選択する（ステップ２０４）。ＵＬ−ＤＬ構成１２８における各ＵＬ−ＤＬ構成は、上りリンク・サブフレームの異なる構成を有する。第１の上りリンク・サブフレームの選択２０４は、既存の上りリンク・アソシエーションを持つ第１の上りリンク・サブフレームの選択２０４を含む。既存の上りリンク・アソシエーションは、アソシエーション・マッピング１３２において指定される。いくつかの構成においては、複数の上りリンク・サブフレーム（例えば、少なくとも１つの追加の上りリンク・サブフレーム）が選択される。
【０１３９】
ＵＥ１０２は、第１のＵＬ−ＤＬ構成を有する第１のセルから第１のサブフレーム・セットを選択する（ステップ２０６）。第１のセルは、参照セルとは異なるセルである。例えば、第１のセルが第１のバンドにあり、参照セルが第２のバンドにある。第１のＵＬ−ＤＬ構成は、参照ＵＬ−ＤＬ構成と同じあっても、異なっていてもよい。例えば、第１のＵＬ−ＤＬ構成が構成１のＵＬ−ＤＬ構成であり、参照ＵＬ−ＤＬ構成が構成１のＵＬ−ＤＬ構成である。別の例では、第１のＵＬ−ＤＬ構成が構成１のＵＬ−ＤＬ構成であり、参照ＵＬ−ＤＬ構成が構成０のＵＬ−ＤＬ構成である。参照ＵＬ−ＤＬ構成を持つ参照セルおよび第１のＵＬ−ＤＬ構成を持つ第１のセルは、セル・マッピング１３０において指定される。いくつかの構成においては、第１のセルから複数のサブフレーム・セット（例えば、少なくとも１つの追加のサブフレーム・セット）が選択される。
【０１４０】
サブフレーム・セットは、１つ以上のタイプ（例えば、下りリンク・サブフレーム、スペシャル・サブフレーム、上りリンク・サブフレームなど）の１つ以上のサブフレームを指す。例えば、サブフレーム・セットは、第１のセルにおける下りリンク・サブフレームおよび／またはスペシャル・サブフレームであって、参照セルにおける上りリンク・サブフレームに対応するサブフレームを含む（例えば、第１のセルのサブフレーム・セットにおけるそれぞれのサブフレームに対して、参照セルに（現行の３ＧＰＰ仕様書によれば）既存の上りリンク・アソシエーションがないこともある）。
【０１４１】
ＵＥ１０２は、第１のサブフレーム・セットと第１の上りリンク・サブフレームとの間の第１のアソシエーション・セットを確定する（ステップ２０８）。アソシエーションとは、たとえ参照セルが異なるＵＬ−ＤＬ構成を用いていても、第１のＵＬ−ＤＬ構成を持つ第１のセルが、選択された参照セルでＡＣＫ／ＮＡＣＫ送信（reporting）を行うことを可能にする、上りリンク・アソシエーションのことである。第１のアソシエーション・セットは、サブフレーム・セットにおけるサブフレーム毎に上りリンク・アソシエーションを含む。第１のアソシエーション・セットは、アソシエーション・マッピング１３２において指定される（蓄積される）。留意すべきは、アソシエーション・セットが１つ以上のアソシエーションを含む場合があることである。
【０１４２】
第１のアソシエーション・セットは、１つ以上のアソシエーション・アプローチに従って確定される（ステップ２０８）。一例において、上りリンク・アソシエーションは、関連付けられたサブフレームと上りリンク・サブフレームとの間のサブフレームの数（例えば、アソシエーションの距離）を最小化するように確定される（ステップ２０８）。言い換えれば、サブフレーム間の距離は、サブフレームに関連するサブフレーム番号付けの間の差である。別の例では、上りリンク・アソシエーションは、すべてのアソシエーションの総距離を最小化するように確定される（ステップ２０８）。さらに別の例では、アソシエーションは、４サブフレーム（例えば、４ミリ秒）の最小アソシエーション距離に基づいて確定される（ステップ２０８）。
【０１４３】
いくつかの構成において、アソシエーションの複数のセット（例えば、少なくとも１つの追加のアソシエーション・セット）が確定される（ステップ２０８）。アソシエーションの追加のセットは、（例えば、第１のセルからの）追加のサブフレーム・セットと（例えば、参照セルからの）追加の上りリンク・サブフレームとの間のセットである。
【０１４４】
いくつか構成において、複数のセルが、本明細書に記載されるシステムおよび方法を利用する。例えば、セルの組み合わせが用いられる。ある場合には、すべてのセルが同じＵＬ−ＤＬ構成を有する。例えば、ＰＣｅｌｌがＵＬ−ＤＬ構成６を有し、すべてのＳＣｅｌｌがそれぞれ同じＵＬ−ＤＬ構成（例えば、構成２）を有する。別の場合には、いくつかのセルが異なるＵＬ−ＤＬ構成を有する。例えば、ＰＣｅｌｌがＵＬ−ＤＬ構成６を有し、すべてのＳＣｅｌｌがそれぞれ異なるＵＬ−ＤＬ構成（例えば、構成０〜６）を有する。別の例では、ＰＣｅｌｌがＵＬ−ＤＬ構成６を有し、いくつかのＳＣｅｌｌが様々なＵＬ−ＤＬ構成（例えば、いくつかが構成２、いくつかが構成１、いくつかが構成６など）を有する。
【０１４５】
ＵＥ１０２は、アグリゲートされた情報を生成するために、第１のアソシエーション・セットに基づいて、参照セルに対応する情報と第１のセルに対応する情報とをアグリゲートする（ステップ２１０）。例えば、アグリゲート・モジュール１３４は、第１の上りリンク・サブフレームに関連付けられた、参照セルにおけるサブフレームからの上りリンク送信（reporting）情報をアグリゲートする。上りリンク送信（reporting）情報の例は、ＡＣＫ／ＮＡＣＫ、チャネル状態情報（ＣＳＩ）、上りリンク制御情報（ＵＣＩ）などを含む。アグリゲート・モジュール１３４は、第１の上りリンク・サブフレームに関連付けられた、第１のセルにおけるサブフレームからの上りリンク送信（reporting）情報もアグリゲートする。加えて、アグリゲート・モジュール１３４は、第１の上りリンク・サブフレームに関連付けられた、任意の追加のセルからの任意のサブフレームからの上りリンク送信（reporting）情報をアグリゲートする。例えば、アグリゲート・モジュール１３４は、セルのＣｅｌｌ＿ＩＤに基づいて情報のアグリゲーションを順序付ける。例として、参照セルが最小Ｃｅｌｌ＿ＩＤを有しうるので、参照セルに関連する情報が初めにアグリゲートされる。次に小さいＣｅｌｌ＿ＩＤに関連する情報が一緒にアグリゲートされる、などである。アグリゲート・モジュール１３４は、情報をアグリゲートして、アグリゲートされた情報を生成する。
【０１４６】
一構成において、アグリゲートされた情報（例えば、ＡＣＫ／ＮＡＣＫビット）は、最小Ｃｅｌｌ＿ＩＤの順序付けに基づいて一緒に多重化される。この場合、第１のセルの上りリンク送信（reporting）情報が参照セルの上りリンク送信（reporting）情報とともに多重化される（例えば、それに追加される）。このように、アグリゲートされる情報は、参照セルの標準的上りリンク・レポーティングとともにアグリゲートされる。
【０１４７】
ＵＥ１０２は、アグリゲートされた情報を上りリンク・送信（reporting）セルで送信（report）する（ステップ２１２）。例えば、ＵＥ１０２は、サブフレーム領域マッピングに対応する１つ以上のアソシエーションに基づいて、アグリゲートされたＡＣＫ／ＮＡＣＫを１つ以上の上りリンク・サブフレームで送信（report）する（ステップ２１２）。別の例では、ＵＥ１０２は、ＰＣｅｌｌ上りリンク構成に基づいて、アグリゲートされたＡＣＫ／ＮＡＣＫを送信（report）する（ステップ２１２）。別の例では、ＵＥ１０２は 、最大上りリンク割当てを持つセル（例えば、最多上りリンク・サブフレームを持つセル）に基づいて、アグリゲートされたＡＣＫ／ＮＡＣＫを送信（report）する（ステップ２１２）。さらに別の例では、ＵＥ１０２は、すべてのセルのアグリゲートされた上りリンク割当てを持つセルに基づいて（例えば、下の図２１に関連して記載されるスーパーセット構成に基づいて）、アグリゲートされたＡＣＫ／ＮＡＣＫを送信（report）する（ステップ２１２）。留意すべきは、ＵＥ１０２が、本明細書に記載されるようにアグリゲートされた情報を送信（report）する（ステップ：２１２）ために、ＡＣＫ／ＮＡＣＫビットを付加的に多重化および／またはバンドルすることである。
【０１４８】
アグリゲートされた情報は、標準的な上りリンク送信（reporting）の代わりに上りリンク送信（reporting）セルで送信（report）される（ステップ２１２）。一構成において、上りリンク送信（reporting）セルは、ＰＣｅｌｌのみである。この構成では、上りリンク送信（reporting）は、現行の仕様の上りリンク送信（reporting）（例えば、３ＧＰＰリリース８、９および１０）と一貫性がある。これは、後方互換性があるので有利である。例えば、アグリゲートされたセルの数に係わらず、同じ上りリンク送信（reporting）ルーチンを用いることができる。さらに、ＰＣｅｌｌでの上りリンク送信（reporting）を変更することなく、異なるＵＬ−ＤＬ構成を持つセルを追加、除去または再構成できる。別の構成では、上りリンク送信（reporting）セルは、在圏セル（例えば、ＰＣｅｌｌ、ＳＣｅｌｌ、またはＰＣｅｌｌと１つ以上のＳＣｅｌｌとの組み合わせ）である。別の構成では、上りリンク送信（reporting）セルは、参照セルである。
【０１４９】
図３は、ｅＮＢ１６０において情報を受信するための方法３００の一構成を示すフロー・ダイアグラムである。ｅＮＢ１６０は、アグリゲートされた情報が、第１のＵＬ−ＤＬ構成を有する第１のセルおよび第２のＵＬ−ＤＬ構成を有する第２のセルに関連して用いられているかどうかを判定する（ステップ３０２）。例えば、ｅＮＢ１６０は、ｅＮＢ１６０が第１のＵＬ−ＤＬ構成を有する第１のセルおよび第２のＵＬ−ＤＬ構成を有する第２のセルで同じデバイス（例えば、ＵＥ１０２）へ通信している（例えば、ｅＮＢ１６０がＵＥ１０２に割当てた）セル・マッピング１９６に基づいて、これを判定する（ステップ３０２）。加えて、ｅＮＢ１６０は、あるアソシエーション・マッピングの使用が指定された（例えば、ｅＮＢ１６０が特定のアソシエーション・マッピング・アプローチを用いるようにＵＥ１０２に指示した）ことを判定する（ステップ３０２）。
【０１５０】
いくつかの構成において、ｅＮＢ１６０は、上りリンク送信（reporting）ペイロードのサイズを、特徴的な上りリンク送信（reporting）ペイロード（例えば、非アグリゲーション・ペイロード、アソシエーョン領域に基づくペイロード、より均等な分配に基づくペイロードなど）と比較することによって、アグリゲートされた情報が用いられているかどうかを判定する（ステップ３０２）。他の構成では、ｅＮＢ１６０は、アグリゲート情報が用いられているインジケーションを受信する。
【０１５１】
ｅＮＢ１６０は、アグリゲートされた情報を受信する（ステップ３０４）。アグリゲートされた情報は、アグリゲートされない情報が受信されるのと同じ方法で受信される。より詳しくは、ｅＮＢ１６０は、アグリゲートされた情報を、参照セルに関する上りリンク送信（reporting）情報の代わりに受信する（ステップ３０４）。いくつかの構成において、ｅＮＢ１６０は、１つ以上のｅＮＢ１６０によってホストされた１つ以上のセルに関する上りリンク送信（reporting）情報を含む、アグリゲートされた情報を受信する（ステップ３０４）。
【０１５２】
ｅＮＢ１６０は、アソシエーション・セットに基づいて、アグリゲートされた情報をデアグリゲートする（ステップ３０６）。例えば、デアグリゲート・モジュール１０７は、アソシエーション・マッピング１９８およびセル・マッピング１９６に基づいて、アグリゲートされた情報を分離する。より具体的には、デアグリゲート・モジュール１０７は、アグリゲートされた上りリンク送信（reporting）を利用しているセル毎にＣｅｌｌ＿ＩＤを確定する。加えて、デアグリゲート・モジュール１０７は、（セル・マッピング１９６およびＵＬ−ＤＬ構成１９４に基づいて）セル毎にＵＬ−ＤＬ構成を確定する。デアグリゲート・モジュール１０７は、セル毎に用いられているアソシエーション・マッピング・アプローチも確定する。このように、デアグリゲート・モジュール１０７は、特定のセルの特定のサブフレームに関連する特有の上りリンク送信（reporting）ビットを確定する。デアグリゲート・モジュール１０７は、アグリゲートされた情報の至る所を構文解析して、各特定のセルに関する上りリンク送信（reporting）情報をデアグリゲートする。いくつかの場合、別のｅＮＢ１６０に関連するセルに関する上りリンク送信（reporting）情報は、別のｅＮＢ１６０へ伝送される。
【０１５３】
図４は、本明細書に開示されるシステムおよび方法に従って用いられる、無線フレーム４３５の一例を示すダイアグラムである。この無線フレーム４３５構造は、時分割多重（ＴＤＤ）アプローチに適用可能である。各無線フレーム４３５は、Ｔｆ＝３０７２００Ｔｓ＝１０ミリ秒（ｍｓ）の長さを有し、ここでＴｆは無線フレーム４３５の持続期間であり、Ｔｓは１／（１５０００×２０４８）秒に等しい時間単位である。無線フレーム４３５は、１５３６００Ｔｓ＝５ｍｓの長さをそれぞれが有する、２つの半フレーム４３７を含む。各半フレーム４３７は、３０７２０Ｔｓ＝１ｍｓの長さをそれぞれが有する５つのサブフレーム４２３ａ〜ｅ、４２３ｆ〜ｊを含む。
【０１５４】
本明細書に開示されるシステムおよび方法に従って、用いられるサブフレーム４２３のいくつかのタイプは、下りリンク・サブフレーム、上りリンク・サブフレームおよびスペシャル・サブフレーム４３１を含む。図４に示される例では、２つの標準的スペシャル・サブフレーム４３１ａ〜ｂが無線フレーム４３５に含まれる。
【０１５５】
第１の標準的スペシャル・サブフレーム４３１ａは、下りリンク・パイロット時間スロット（ＤｗＰＴＳ）４２５ａ、ガード期間（ＧＰ）４２７ａおよび上りリンク・パイロット時間スロット（ＵｐＰＴＳ）４２９ａを含む。この例では、第１の標準的スペシャル・サブフレーム４３１ａは、サブフレームｏｎｅ４２３ｂに含まれる。第２の標準的スペシャル・サブフレーム４３１ｂは、下りリンク・パイロット時間スロット（ＤｗＰＴＳ）４２５ｂ、ガード期間（ＧＰ）４２７ｂおよび上りリンク・パイロット時間スロット（ＵｐＰＴＳ）４２９ｂを含む。この例では、第２の標準的スペシャル・サブフレーム４３１ｂは、サブフレームｓｉｘ４２３ｇに含まれる。ＤｗＰＴＳ４２５ａ〜ｂおよびＵｐＰＴＳ４２９ａ〜ｂの長さは、ＤｗＰＴＳ４２５、ＧＰ４２７およびＵｐＰＴＳ４２９の各セットの全長が３０７２０Ｔｓ＝１ｍｓであることを前提として、（上の表９に示される）３ＧＰＰ  ＴＳ  ３６．２１１の表４．２−１に示される。
【０１５６】
各サブフレームｉ４２３ａ〜ｊ（この例では、ｉは、サブフレームｚｅｒｏ４２３ａ（例えば、０）からサブフレームｎｉｎｅ４２３ｊ（例えば、９）に及ぶサブフレームを示す）は、各サブフレーム４２３における長さがＴｓｌｏｔ＝１５３６０Ｔｓ＝０．５ｍｓの２つのスロット２ｉおよび２ｉ＋１として定義される。例えば、サブフレームｚｅｒｏ（例えば、０）４２３ａは、第１のスロットを含めて、２つのスロットを含む。
【０１５７】
本明細書に開示されるシステムおよび方法に従って、下りリンクから上りリンクへの切り替えポイント周期が５ｍｓおよび１０ｍｓの両方のＵＬ−ＤＬ構成が用いられる。図４は、５ｍｓの切り替えポイント周期を持つ無線フレーム４３５の一例を示す。下りリンクから上りリンクへの切り替えポイント周期が５ｍｓの場合には、各半フレーム４３７が標準的スペシャル・サブフレーム４３１ａ〜ｂを含む。下りリンクから上りリンクへの切り替えポイント周期が１０ｍｓの場合には、スペシャル・サブフレームは、第１の半フレーム４３７だけに存在する。
【０１５８】
サブフレームｚｅｒｏ（例えば、０）４２３ａおよびサブフレームｆｉｖｅ（例えば、５）４２３ｆならびにＤｗＰＴＳ４２５ａ〜ｂは、下りリンク伝送のために予約される。ＵｐＰＴＳ４２９ａ〜ｂ、およびスペシャル・サブフレーム（単数または複数）４３１ａ〜ｂのすぐ後に続くサブフレーム（単数または複数）（例えば、サブフレームｔｗｏ４２３ｃおよびサブフレームｓｅｖｅｎ４２３ｈ）は、上りリンク伝送のために予約される。
【０１５９】
図５〜２７は、異なるＵＬ−ＤＬ構成を用いたバンド間キャリアアグリゲーションのためのアソシエーション・マッピングの様々な例を示す。分配領域（distribution regions）へマッピングされるアソシエーション領域およびサブフレームは、上の図２に関連して記載されるサブフレームからなるセットまたはサブフレーム・セットの例である。例として、図５に記載される第１のアソシエーション領域は、図２に記載される第１のサブフレーム・セットの一例である。同様に、図１４に記載される第１の分配領域へマッピングされるサブフレームは、図２に記載される第１のサブフレーム・セットの別の例である。図５〜２７に参照されるＵＬ−ＤＬ構成は、前述の構成０〜６に対応する。留意すべきは、図５〜２７において「Ｄ」が下りリンク・サブフレームを示し、「Ｕ」が上りリンク・サブフレームを示し、「Ｓ」がスペシャル・サブフレームを示すことである。
【０１６０】
図５〜１３は、本明細書に開示されるシステムおよび方法に従って、アソシエーション領域の様々な例を示す。一般に、アソシエーション領域は、１つ以上の特定の上りリンクへマッピングされる１つ以上のサブフレーム（例えば、サブフレーム・セットまたはサブフレームからなるセット）を含む領域である。下りリンク・サブフレームおよびスペシャル・サブフレームは、データが適切に受信された場合に肯定応答（ＡＣＫ）を送信（report）し、データが不適切に受信されたか、あるいはまったく受信されなかった場合に否定応答（ＮＡＣＫ）を送信（report）する。サブフレーム（例えば、下りリンク・サブフレーム、スペシャル・サブフレーム）に対するこのＡＣＫ／ＮＡＣＫ送信（reporting）は、上りリンク・サブフレームの間に送信（report）される。アソシエーションは、サブフレームと、そのサブフレームに対する上りリンク送信（reporting）（例えば、ＡＣＫ／ＮＡＣＫ、ＣＳＩ、ＵＣＩなど）が発生する上りリンク・サブフレームとの間に存在する。７つの定義されたＵＬ−ＤＬ構成のそれぞれにアソシエーション・セットが存在する。これら既存のアソシエーションは、表１０に指定される。表１０において、特定のサブフレームを指定した番号は、リストされた番号に対する上りリンク送信（reporting）サブフレームである。リストされた番号は、送信（reporting）サブフレームの前のサブフレームを指す。例えば、表１０において、構成１およびサブフレーム２の下では、この番号が７および６である。これは、構成１ではサブフレーム２が、サブフレーム２より７サブフレームおよび６サブフレーム前のサブフレームに対する上りリンク送信（reporting）を行うことを意味する。言い換えれば、サブフレーム２は、前の無線フレームの下りリンク・サブフレームおよびスペシャル・サブフレームであるサブフレーム５およびサブフレーム６に対する上りリンク送信（reporting）を提供する。
【０１６１】
単一のＵＬ−ＤＬ構成のみが用いられる（例えば、すべてのセルが同じＵＬ−ＤＬ構成を用いる）ときには、表１０にリストされる標準的なアソシエーションが、すべての必要な上りリンク送信（reporting）を提供する。しかしながら、複数のＵＬ−ＤＬ構成が用いられる（例えば、複数のセルが異なるＵＬ−ＤＬ構成を用いる）ときには、標準的なアソシエーションは、すべての必要な上りリンク送信（reporting）を提供することはできない。異なるＵＬ−ＤＬ構成は、上りリンク送信（reporting）を必要とする異なるサブフレームを有する。一実装において、アソシエーション領域は、上りリンク送信（reporting）のための特定の上りリンク・サブフレームへマッピングされるサブフレームの領域（例えば、アソシエーション領域）を特定する、参照構成に関して定義される。アソシエーション領域は、任意のＵＬ−ＤＬ構成の上りリンク送信（reporting）を可能にする新しい上りリンク送信（reporting）アソシエーションを追加する。表１１は、既存のアソシエーション、およびＵＬ−ＤＬ構成毎にアソシエーション領域に追加されたアソシエーション（括弧内）を特定する。
【０１６２】
以下に図面を参照して、アソシエーション領域をさらに詳細に記載する。便宜上、アソシエーション領域は点線輪郭で示される。図示されるアソシエーション領域は、（例えば、図２に関連した）上記のようなアソシエーション・セットの例を指定する。
【０１６３】
図５は、本明細書に開示されるシステムおよび方法に従って、上りリンク送信（reporting）のためのアソシエーション領域のいくつかの例を示すダイアグラムである。便宜上、（現行の３ＧＰＰ仕様における）既存のアソシエーション５４３は実線で示され、アソシエーション領域マッピングに基づいて追加された可能なアソシエーション５４５は、破線で示される。それぞれのサブフレーム５２３は、サブフレーム番号５３９に対応する。サブフレーム５２３は、サブフレーム番号５３９によって参照される。
【０１６４】
構成ｚｅｒｏ５４１ａ（例えば、“０”）は、６つのアソシエーション領域５４７ａに対応する。構成ｚｅｒｏ５４１ａのための第１のアソシエーション領域５４７ａは、サブフレーム６および７を含み、次の無線フレームにおける上りリンク・サブフレーム２へのアソシエーション・マッピングを含む。サブフレーム６から上りリンク・サブフレーム２へのアソシエーションは、構成ｚｅｒｏ５４１ａの既存のアソシエーション・マッピング５４３である。サブフレーム７から上りリンク・サブフレーム２へのアソシエーション・マッピングは、構成ｚｅｒｏ５４１ａのための新しいアソシエーション・マッピング５４５である。
【０１６５】
構成ｚｅｒｏ５４１ａのための第２のアソシエーション領域５４７ａは、サブフレーム８および９を含み、次の無線フレームにおける上りリンク・サブフレーム３へのアソシエーション・マッピングを含む。サブフレーム８から上りリンク・サブフレーム３へのアソシエーションおよびサブフレーム９から上りリンク・サブフレーム３へのアソシエーションは、構成ｚｅｒｏ５４１ａのための新しいアソシエーション・マッピング５４５である。
【０１６６】
構成ｚｅｒｏ５４１ａのための第３のアソシエーション領域５４７ａは、サブフレーム０を含み、現在の無線フレームにおける上りリンク・サブフレーム４へのアソシエーション・マッピングを含む。サブフレーム０から上りリンク・サブフレーム４へのアソシエーションは、構成ｚｅｒｏ５４１ａの既存のアソシエーション・マッピング５４３である。
【０１６７】
構成ｚｅｒｏ５４１ａのための第４のアソシエーション領域５４７ａは、サブフレーム１を含み、現在の無線フレームにおける上りリンク・サブフレーム７へのアソシエーション・マッピングを含む。サブフレーム１から上りリンク・サブフレーム７へのアソシエーションは、構成ｚｅｒｏ５４１ａの既存のアソシエーション・マッピング５４３である。
【０１６８】
構成ｚｅｒｏ５４１ａのための第５のアソシエーション領域５４７ａは、サブフレーム３および４を含み、現在の無線フレームにおける上りリンク・サブフレーム８へのアソシエーション・マッピングを含む。サブフレーム３から上りリンク・サブフレーム８へのアソシエーションおよびサブフレーム４から上りリンク・サブフレーム８へのアソシエーションは、構成ｚｅｒｏ５４１ａのための新しいアソシエーション・マッピング５４５である。
【０１６９】
構成ｚｅｒｏ５４１ａのための第６のアソシエーション領域５４７ａは、サブフレーム５を含み、現在の無線フレームにおける上りリンク・サブフレーム９へのアソシエーション・マッピングを含む。サブフレーム５から上りリンク・サブフレーム９へのアソシエーションは、構成ｚｅｒｏ５４１ａの既存のアソシエーション・マッピング５４３である。
【０１７０】
構成ｏｎｅ５４１ｂ（例えば、“１”）は、４つのアソシエーション領域５４７ｂに対応する。構成ｏｎｅ５４１ｂのための第１のアソシエーション領域５４７ｂは、サブフレーム５および６を含み、次の無線フレームにおける上りリンク・サブフレーム２へのアソシエーション・マッピングを含む。サブフレーム５および６から上りリンク・サブフレーム２へのアソシエーション・マッピングは、構成ｏｎｅ５４１ｂの既存のアソシエーション・マッピング５４３である。
【０１７１】
構成ｏｎｅ５４１ｂのための第２のアソシエーション領域５４７ｂは、サブフレーム７、８および９を含み、次の無線フレームにおける上りリンク・サブフレーム３へのアソシエーション・マッピングを含む。サブフレーム７および８から上りリンク・サブフレーム３へのアソシエーション・マッピングは、構成ｏｎｅ５４１ｂのための新しいアソシエーション・マッピング５４５である。サブフレーム９から上りリンク・サブフレーム３へのアソシエーションは、構成ｏｎｅ５４１ｂのための既存のアソシエーション・マッピング５４３である。
【０１７２】
構成ｏｎｅ５４１ｂのための第３のアソシエーション領域５４７ｂは、サブフレーム０および１を含み、同じ無線フレームにおける上りリンク・サブフレーム７へのアソシエーション・マッピングを含む。サブフレーム０および１から上りリンク・サブフレーム７へのアソシエーション・マッピングは、構成ｏｎｅ５４１ｂのための既存のアソシエーション・マッピング５４３である。
【０１７３】
構成ｏｎｅ５４１ｂのための第４のアソシエーション領域５４７ｂは、サブフレーム３および４を含み、同じ無線フレームにおける上りリンク・サブフレーム８へのアソシエーション・マッピングを含む。サブフレーム３から上りリンク・サブフレーム８へのアソシエーション・マッピングは、構成ｏｎｅ５４１ｂのための新しいアソシエーション・マッピング５４５である。サブフレーム４から上りリンク・サブフレーム８へのアソシエーションは、構成ｏｎｅ５４１ｂのための既存のアソシエーション・マッピング５４３である。
【０１７４】
構成ｔｗｏ５４１ｃ（例えば、“２”）は、２つのアソシエーション領域５４７ｃに対応する。構成ｔｗｏ５４１ｃのための第１のアソシエーション領域５４７ｃは、サブフレーム４、５、６、７および８を含み、次の無線フレームにおける上りリンク・サブフレーム２へのアソシエーション・マッピングを含む。サブフレーム４、５、６および８から上りリンク・サブフレーム２へのアソシエーション・マッピングは、構成ｔｗｏ５４１ｃのための既存のアソシエーション・マッピング５３４である。サブフレーム７から上りリンク・サブフレーム２へのアソシエーション・マッピングは、構成ｔｗｏ５４１ｃのための新しいアソシエーション・マッピング５４５である。
【０１７５】
構成ｔｗｏ５４１ｃのための第２のアソシエーション領域５４７ｃは、サブフレーム９、０、１および３を含み、上りリンク・サブフレーム７へのアソシエーション・マッピングを含む。サブフレーム９、０、１および３から上りリンク・サブフレーム７へのアソシエーション・マッピングは、構成ｔｗｏ５４１ｃのための既存のアソシエーション・マッピング５４３である。
【０１７６】
構成ｔｈｒｅｅ５４１ｄ（例えば、“３”）は、３つのアソシエーション領域５４７ｄに対応する。構成ｔｈｒｅｅ５４１ｄのための第１のアソシエーション領域５４７ｄは、サブフレーム１、３、４、５および６を含み、次の無線フレームにおける上りリンク・サブフレーム２へのアソシエーション・マッピングを含む。サブフレーム１、５および６から上りリンク・サブフレーム２へのアソシエーション・マッピングは、構成ｔｈｒｅｅ５４１ｄのための既存のアソシエーション・マッピング５４３である。サブフレーム３および４からのアソシエーション・マッピングは、構成ｔｈｒｅｅ５４１ｄのための新しいアソシエーション・マッピング５４５である。
【０１７７】
構成ｔｈｒｅｅ５４１ｄのための第２のアソシエーション領域５４７ｄは、サブフレーム７および８を含み、次の無線フレームにおける上りリンク・サブフレーム３へのアソシエーション・マッピングを含む。サブフレーム７および８から上りリンク・サブフレーム３へのアソシエーション・マッピングは、構成ｔｈｒｅｅ５４１ｄのための既存のアソシエーション・マッピング５４３である。
【０１７８】
構成ｔｈｒｅｅ５４１ｄのための第３のアソシエーション領域５４７ｄは、サブフレーム９および０を含み、上りリンク・サブフレーム４へのアソシエーション・マッピングを含む。サブフレーム９および０から上りリンク・サブフレーム４へのアソシエーション・マッピングは、構成ｔｈｒｅｅ５４１ｄのための既存のアソシエーション・マッピング５４３である。
【０１７９】
図６は、本明細書に開示されるシステムおよび方法に従って、上りリンク送信（reporting）のためのアソシエーション領域のいくつかの例を示すダイアグラムである。便宜上、（現行の３ＧＰＰ仕様における）既存のアソシエーション６４３は実線で示され、アソシエーション領域マッピングに基づいて追加された可能なアソシエーション６４５は、破線で示される。それぞれのサブフレーム６２３は、サブフレーム番号６３９に対応する。サブフレーム６２３は、サブフレーム番号６３９によって参照される。
【０１８０】
構成ｆｏｕｒ６４１ｅ（例えば、“４”）は、２つのアソシエーション領域６４７ｅに対応する。構成ｆｏｕｒ６４１ｅのための第１のアソシエーション領域６４７ｅは、サブフレーム０、１、３、４および５を含み、次の無線フレームにおける上りリンク・サブフレーム２へのアソシエーション・マッピングを含む。サブフレーム０、１、４および５から上りリンク・サブフレーム２へのアソシエーション・マッピングは、構成ｆｏｕｒ６４１ｅのための既存のアソシエーション・マッピング６３４である。サブフレーム３から上りリンク・サブフレーム２へのアソシエーション・マッピングは、構成ｆｏｕｒ６４１ｅのための新しいアソシエーション・マッピング６４５である。
【０１８１】
構成ｆｏｕｒ６４１ｅのための第２のアソシエーション領域６４７ｅは、サブフレーム６、７、８および９を含み、次の無線フレームにおける上りリンク・サブフレーム３へのアソシエーション・マッピングを含む。サブフレーム６、７、８および９から上りリンク・サブフレーム３へのアソシエーション・マッピングは、構成ｆｏｕｒ６４１ｅのための既存のアソシエーション・マッピング６４３である。
【０１８２】
構成ｆｉｖｅ６４１ｆ（例えば、“５”）は、１つのアソシエーション領域６４７ｅに対応する。構成ｆｉｖｅ６４１ｆのための第１のアソシエーション領域６４７ｆは、サブフレーム９、０、１、３、４、５、６、７および８を含み、次の無線フレームにおける上りリンク・サブフレーム２へのアソシエーション・マッピングを含む。サブフレーム９、０、１、３、４、５、６、７および８から上りリンク・サブフレーム２へのアソシエーション・マッピングは、構成ｆｉｖｅ６４１ｆのための既存のアソシエーション・マッピング６４３である。
【０１８３】
構成ｓｉｘ６４１ｇ（例えば、“６”）は、５つのアソシエーション領域６４７ｇに対応する。構成ｓｉｘ６４１ｇのための第１のアソシエーション領域６４７ｇは、サブフレーム５を含み、次の無線フレームにおける上りリンク・サブフレーム２へのアソシエーション・マッピングを含む。サブフレーム５から上りリンク・サブフレーム２へのアソシエーション・マッピングは、構成ｓｉｘ６４１ｇのための既存のアソシエーション・マッピング６４３である。構成ｓｉｘ６４１ｇのための第２のアソシエーション領域６４７ｇは、サブフレーム６および７を含み、次の無線フレームにおける上りリンク・サブフレーム３へのアソシエーション・マッピングを含む。サブフレーム６から上りリンク・サブフレーム２へのアソシエーション・マッピングは、構成ｓｉｘ６４１ｇのための既存のアソシエーション・マッピング６４３である。サブフレーム７から上りリンク・サブフレーム２へのアソシエーション・マッピングは、構成ｓｉｘ６４１ｇのための新しいアソシエーション・マッピング６４５である。
【０１８４】
構成ｓｉｘ６４１ｇのための第３のアソシエーション領域６４７ｇは、サブフレーム８および９を含み、次の無線フレームにおける上りリンク・サブフレーム４へのアソシエーション・マッピングを含む。サブフレーム８から上りリンク・サブフレーム４へのアソシエーション・マッピングは、構成ｓｉｘ６４１ｇのための新しいアソシエーション・マッピング６４５である。サブフレーム９から上りリンク・サブフレーム４へのアソシエーション・マッピングは、構成ｓｉｘ６４１ｇのための既存のアソシエーション・マッピング６４３である。
【０１８５】
構成ｓｉｘ６４１ｇのための第４のアソシエーション領域６４７ｇは、サブフレーム０を含み、同じ無線フレームにおける上りリンク・サブフレーム７へのアソシエーション・マッピングを含む。サブフレーム０から上りリンク・サブフレーム７へのアソシエーション・マッピングは、構成ｓｉｘ６４１ｇのための既存のアソシエーション・マッピング６４３である。
【０１８６】
構成ｓｉｘ６４１ｇのための第５のアソシエーション領域６４７ｇは、サブフレーム１、３および４を含み、同じ無線フレームにおける上りリンク・サブフレーム８へのアソシエーション・マッピングを含む。サブフレーム１から上りリンク・サブフレーム８へのアソシエーション・マッピングは、構成ｓｉｘ６４１ｇのための既存のアソシエーション・マッピング６４３である。サブフレーム３および４から上りリンク・サブフレーム８へのアソシエーション・マッピングは、構成ｓｉｘ６４１ｇのための新しいアソシエーション・マッピング６４５である。
【０１８７】
図７は、構成ｚｅｒｏ７４１ａのためのアソシエーション領域を他のＵＬ−ＤＬ構成７４１ｂ〜ｇに対してより具体的に示す。例えば、他のＵＬ−ＤＬ構成７４１ｂ〜ｇに適用される、図７に示されるアソシエーション領域７４７ａは、図５に示されるアソシエーション領域５４７ａと同じである。図７における構成７４１ａ〜ｇは、対応するサブフレーム番号７３９ａ〜ｇを持つサブフレーム７２３ａ〜ｇとして示される。下の表１２は、構成ｚｅｒｏ７４１ａのための既存のアソシエーション７４３、および異なるＵＬ−ＤＬ構成のアグリゲートされた上りリンク送信（reporting）のために追加されたアソシエーション７４５を示す。
【０１８８】
【表１２】
2014528658.tif 000014
【０１８９】
表１２にリストされる追加されたアソシエーションは、図５に関して前述された構成ｚｅｒｏ７４１ａのためのアソシエーション領域からの上りリンク送信（reporting）を可能にする。例えば、構成ｚｅｒｏ７４１ａのための第１のアソシエーション領域７４７ａは、構成ｔｈｒｅｅ７４１ｄ、構成ｆｏｕｒ７４１ｅおよび構成ｆｉｖｅ７４１ｆのための追加の下りリンク・サブフレーム（例えば、サブフレーム７）を取り込む。図示されるように、構成ｚｅｒｏ７４１ａのためのアソシエーション領域７４７ａは、他のＵＬ−ＤＬ構成のいずれかの上りリンク送信（reporting）を可能にする。
【０１９０】
図８は、構成ｏｎｅ８４１ｂのためのアソシエーション領域を他のＵＬ−ＤＬ構成８４１ａ、８４１ｃ〜ｇに対してより具体的に示す。例えば、他のＵＬ−ＤＬ構成８４１ａ、ｃ〜ｇに適用される、図８に示されるアソシエーション領域８４７ｂは、図５に示されるアソシエーション領域５４７ｂと同じである。図８における構成８４１ａ〜ｇは、対応するサブフレーム番号８３９ａ〜ｇを持つサブフレーム８２３ａ〜ｇとして示される。下の表１３は、構成ｏｎｅ８４１ｂのための既存のアソシエーション８４３、および異なるＵＬ−ＤＬ構成のアグリゲートされた上りリンク送信（reporting）のために追加されたアソシエーション８４５を示す。
【０１９１】
【表１３】
2014528658.tif 000015
【０１９２】
表１３にリストされる追加されたアソシエーションは、図５に関して前述された構成ｏｎｅ８４１ｂのためのアソシエーション領域からの上りリンク送信（reporting）を可能にする。例えば、構成ｏｎｅ８４１ｂのための第２のアソシエーション領域８４７ｂは、構成ｔｗｏ８４１ｃ、構成ｔｈｒｅｅ８４１ｄ、構成ｆｏｕｒ８４１ｅおよび構成ｆｉｖｅ８４１ｆのための追加の下りリンク・サブフレーム（例えば、サブフレーム７および８）を取り込む。図示されるように、構成ｏｎｅ８４１ｂのためのアソシエーション領域８４７ｂは、他のＵＬ−ＤＬ構成のいずれかの上りリンク送信（reporting）を可能にする。
【０１９３】
図９は、構成ｔｗｏ９４１ｃのためのアソシエーション領域を他のＵＬ−ＤＬ構成９４１ａ〜ｂ、９４１ｄ〜ｇに対してより具体的に示す。例えば、他のＵＬ−ＤＬ構成９４１ａ〜ｂ、９４１ｄ〜ｇに適用される、図９に示されるアソシエーション領域９４７ｃは、図５に示されるアソシエーション領域５４７ｃと同じである。図９における構成９４１ａ〜ｇは、対応するサブフレーム番号９３９ａ〜ｇを持つサブフレーム９２３ａ〜ｇとして示される。下の表１４は、構成ｔｗｏ９４１ｃのための既存のアソシエーション９４３、および異なるＵＬ−ＤＬ構成のアグリゲートされた上りリンク送信（reporting）のために追加されたアソシエーション９４５を示す。
【０１９４】
【表１４】
2014528658.tif 000016
【０１９５】
表１４にリストされる追加されたアソシエーションは、図５に関して前述された構成ｔｗｏ９４１ｃのためのアソシエーション領域からの上りリンク送信（reporting）を可能にする。例えば、構成ｔｗｏ９４１ｃのための第１のアソシエーション領域９４７ｃは、構成ｔｈｒｅｅ９４１ｄ、構成ｆｏｕｒ９４１ｅ、構成ｆｉｖｅ９４１ｆのための追加の下りリンク・サブフレーム（例えば、サブフレーム７）を取り込む。図示されるように、構成ｔｗｏ９４１ｃのためのアソシエーション領域９４７ｃは、他のＵＬ−ＤＬ構成のいずれかの上りリンク送信（reporting）を可能にする。
【０１９６】
図１０は、構成ｔｈｒｅｅ１０４１ｄのためのアソシエーション領域を他のＵＬ−ＤＬ構成１０４１ａ〜ｃ、１０４１ｅ〜ｇに対してより具体的に示す。例えば、他のＵＬ−ＤＬ構成１０４１ａ〜ｃ、１０４１ｅ〜ｇに適用される、図１０に示されるアソシエーション領域１０４７ｄは、図５に示されるアソシエーション領域５４７ｄと同じである。図１０における構成１０４１ａ〜ｇは、対応するサブフレーム番号１０３９ａ〜ｇを持つサブフレーム１０２３ａ〜ｇとして示される。下の表１５は、構成ｔｈｒｅｅ１０４１ｄのための既存のアソシエーション１０４３、および異なるＵＬ−ＤＬ構成のアグリゲートされた上りリンク送信（reporting）のために追加されたアソシエーション１０４５を示す。
【０１９７】
【表１５】
2014528658.tif 000017
【０１９８】
表１５にリストされる追加されたアソシエーションは、図５に関して前述された構成ｔｈｒｅｅ１０４１ｄのためのアソシエーション領域からの上りリンク送信（reporting）を可能にする。例えば、構成ｔｈｒｅｅ１０４１ｄのための第１のアソシエーション領域１０４７ｄは、構成ｏｎｅ１０４１ｂ、構成ｔｗｏ１０４１ｃ、構成ｆｏｕｒ１０４１ｅおよび構成ｆｉｖｅ１０４１ｆのための追加の下りリンク・サブフレーム（例えば、サブフレーム３および４）を取り込む。図示されるように、構成ｔｈｒｅｅ１０４１ｄのためのアソシエーション領域１０４７ｄは、他のＵＬ−ＤＬ構成のいずれかの上りリンク送信（reporting）を可能にする。
【０１９９】
図１１は、構成ｆｏｕｒ１１４１ｅのためのアソシエーション領域を他のＵＬ−ＤＬ構成１１４１ａ〜ｄ、１１４１ｆ〜ｇに対してより具体的に示す。例えば、他のＵＬ−ＤＬ構成１１４１ａ〜ｄ、１１４１ｆ〜ｇに適用される、図１１に示されるアソシエーション領域１１４７ｅは、図６に示されるアソシエーション領域６４７ｅと同じである。図１１における構成１１４１ａ〜ｇは、対応するサブフレーム番号１１３９ａ〜ｇを持つサブフレーム１１２３ａ〜ｇとして示される。下の表１６は、構成ｆｏｕｒ１１４１ｅのための既存のアソシエーション１１４３、および異なるＵＬ−ＤＬ構成のアグリゲートされた上りリンク送信（reporting）のために追加されたアソシエーション１１４５を示す。
【０２００】
【表１６】
2014528658.tif 000018
【０２０１】
表１６にリストされる追加されたアソシエーションは、図６に関して前述された構成ｆｏｕｒ１１４１ｅのためのアソシエーション領域からの上りリンク送信（reporting）を可能にする。例えば、構成ｆｏｕｒ１１４１ｅのための第１のアソシエーション領域１１４７ｅは、構成ｔｗｏ１１４１ｃおよび構成ｆｉｖｅ１１４１ｆのための追加の下りリンク・サブフレーム（例えば、サブフレーム３）を取り込む。図示されるように、構成ｆｏｕｒ１１４１ｅのためのアソシエーション領域１１４７ｅは、他のＵＬ−ＤＬ構成のいずれかの上りリンク送信（reporting）を可能にする。
【０２０２】
図１２は、構成ｆｉｖｅ１２４１ｆのためのアソシエーション領域を他のＵＬ−ＤＬ構成１２４１ａ〜ｅ、１２４１ｇに対してより具体的に示す。例えば、他のＵＬ−ＤＬ構成１２４１ａ〜ｅ、ｇに適用される、図１２に示されるアソシエーション領域１２４７ｆは、図６に示されるアソシエーション領域６４７ｆと同じである。図１２における構成１２４１ａ〜ｇは、対応するサブフレーム番号１２３９ａ〜ｇを持つサブフレーム１２２３ａ〜ｇとして示される。下の表１７は、構成ｆｏｕｒ１２４１ｆのための既存のアソシエーション１２４３、および異なるＵＬ−ＤＬ構成のアグリゲートされた上りリンク送信（reporting）のために追加されたアソシエーション１２４５を示す。
【０２０３】
【表１７】
2014528658.tif 000019
【０２０４】
表１７にリストされる追加されたアソシエーションは、図６に関して前述された構成ｆｉｖｅ１２４１ｆのためのアソシエーション領域からの上りリンク送信（reporting）を可能にする。図示されるように、構成ｆｉｖｅ１２４１ｆのためのアソシエーション領域１２４７ｆは、他のＵＬ−ＤＬ構成のいずれかの上りリンク送信（reporting）を可能にする。
【０２０５】
図１３は、構成ｓｉｘ１３４１ｇのためのアソシエーション領域を他のＵＬ−ＤＬ構成１３４１ａ〜ｆに対してより具体的に示す。例えば、他のＵＬ−ＤＬ構成１３４１ａ〜ｆに適用される、図１３に示されるアソシエーション領域１３４７ｇは、図６に示されるアソシエーション領域６４７ｇと同じである。図１３における構成１３４１ａ〜ｇは、対応するサブフレーム番号１３３９ａ〜ｇを持つサブフレーム１３２３ａ〜ｇとして示される。下の表１８は、構成ｓｉｘ１３４１ｇのための既存のアソシエーション１３４３、および異なるＵＬ−ＤＬ構成のアグリゲートされた上りリンク送信（reporting）のために追加されたアソシエーション１３４５を示す。
【０２０６】
【表１８】
2014528658.tif 000020
【０２０７】
表１８にリストされる追加されたアソシエーションは、図６に関して前述された構成ｓｉｘ１３４１ｇのためのアソシエーション領域からの上りリンク送信（reporting）を可能にする。例えば、構成ｓｉｘ１３４１ｇのための第２のアソシエーション領域１３４７ｇは、構成ｔｈｒｅｅ１３４１ｄ、構成ｆｏｕｒ１３４１ｅおよび構成ｆｉｖｅ１３４１ｆのための追加の下りリンク・サブフレーム（例えば、サブフレーム７）を取り込む。図示されるように、構成ｓｉｘ１３４１ｇのためのアソシエーション領域１３４７ｇは、他のＵＬ−ＤＬ構成のいずれかの上りリンク送信（reporting）を可能にする。
【０２０８】
図１４〜２０は、各ＵＬ−ＤＬ構成におけるより均等な分配マッピング・アプローチの一例を示す。いくつかの場合、アソシエーション領域マッピング・アプローチは、不均衡な上りリンク送信（reporting）ペイロードをもたらす。例えば、ＰＣｅｌｌが構成３を有し、ＳＣｅｌｌが構成２を有する場合には、ＳＣｅｌｌからマッピングされるＡＣＫ／ＮＡＣＫビットの数は、それぞれ上りリンク・サブフレーム２、３および４に対して５、１  ２である。いくつかの場合、不均衡なペイロードは、アソシエーション領域マッピング・アプローチを効果的に利用する能力を制限する。しかしながら、他に多くの可能なアソシエーション領域マッピング・アプローチがある。１つの可能なアプローチは、より均等な分配マッピング・アプローチである。より均等な分配マッピング・アプローチ（例えば分配マッピング（distribution mapping））は、より均等に分配された上りリンク送信（reporting）ペイロードのために、可能な上りリンク送信（reporting）アソシエーションを定義する。一構成において、分配領域は、サブフレームのセットがより均等にバランスを取って関連付けられた上りリンク・サブフレームの領域を特定する、参照構成に関して定義される。分配領域は、上りリンク送信（reporting）ペイロードのバランスを取る新しい上りリンク送信（reporting）アソシエーションを追加することができる。
【０２０９】
分配マッピングは、種々の可能なアソシエーションを用いて達成される。一構成においては、アソシエーション領域マッピング・アプローチの不均衡なアソシエーションが、より均等にバランスを取った分配マッピングを提供するために再定義される。分配マッピングのいくつかの例が本明細書に記載される。留意すべきは、用語「より均等に」、「バランスを取った」およびそれらの変形が、サブフレーム間の不釣り合いを低減するために、多くのサブフレームにわたってビットが分配されることを意味するために用いられることである。しかしながら、留意すべきは、「バランスを取った」または「より均等な」分配が、サブフレーム当りのビットの平均数を必要としないことである。逆に、いくつかの場合、ビットが「不均衡な」アソシエーション領域マッピング・アプローチと比較してより均等に分配される。
【０２１０】
留意すべきは、異なるセルにおいて異なるアソシエーション・マッピング・アプローチが用いられることである。例えば、１つのセルに第１のアプローチが適用され、第２のセルに第２のアプローチが適用されてもよい。以下に図面を参照して、分配領域がより詳細に記載される。便宜上、分配領域は点線輪郭内に示される。
【０２１１】
図１４は、他の構成１４４１ｂ〜ｇに適用される、構成ｚｅｒｏ１４４１ａのためのより均等な分配マッピング・アプローチの一例を示すダイアグラムである。便宜上、分配領域マッピングに基づいて追加された可能なアソシエーション１４４９は、実線で示される。サブフレーム番号１４３９は、対応するサブフレーム１４２３を示す。この例では、２つの分配領域１４５１ａが構成ｚｅｒｏ１４４１ａに対応する。構成ｚｅｒｏ１４４１ａのための第１の分配領域１４５１ａは、上りリンク・サブフレーム２、３および４を含み、構成ｚｅｒｏ１４４１ａのための第２の分配領域１４５１ａは、上りリンク・サブフレーム７、８および９を含む。構成ｚｅｒｏ１４４１ａ（例えば、参照構成）において、サブフレーム６、０、１および５からの可能なアソシエーション１４４９は、第１の分配領域１４５１ａおよび第２の分配領域１４５１ａ内のサブフレーム１４２３ａの間に分配される。図１４に示されるように、それぞれのＵＬ−ＤＬ構成におけるそれぞれの送信（reporting）サブフレームに関する上りリンク送信（reporting）アソシエーションは、分配領域１４５１ａ内のサブフレーム１４２３の間に分配される。例えば、構成ｔｈｒｅｅ１４４１ｄにおいて、サブフレーム６、７、８、９、０、１および５からの可能なアソシエーション１４４９は、分配領域１４５１ａ内のサブフレーム１４２３ｄの間でバランスが取られ、サブフレーム６、７および８は、第１の分配領域１４５１ａ内でバランスが取られ、サブフレーム９、０、１および５は、第２の分配領域１４５１ａ内でバランスが取られる。下の表１９は、それぞれのＵＬ−ＤＬ構成に関する分配マッピング・アソシエーションの一例をまとめる。
【０２１２】
【表１９】
2014528658.tif 000021
【０２１３】
図１５は、他の構成１５４１ａ、１５４１ｃ〜ｇに適用される、構成ｏｎｅ１５４１ｂのためのより均等な分配マッピング・アプローチの一例を示すダイアグラムである。便宜上、分配領域マッピングに基づいて追加された可能なアソシエーション１５４９は、実線で示される。サブフレーム番号１５３９は、対応するサブフレーム１５２３を示す。この例では、２つの分配領域１５５１ｂが構成ｏｎｅ１５４１ｂに対応する。構成ｏｎｅ１５４１ｂのための第１の分配領域１５５１ｂは、上りリンク・サブフレーム２、３を含み、構成ｏｎｅ１５４１ｂのための第２の分配領域１５５１ｂは、上りリンク・サブフレーム７および８を含む。構成ｏｎｅ１５４１ｂ（例えば、参照構成）において、サブフレーム５、６、９、０、１および４からの可能なアソシエーション１５４９は、第１の分配領域１５５１ｂおよび第２の分配領域１５５１ｂ内のサブフレーム１５２３ｂの間に分配される。図１５に示されるように、それぞれのＵＬ−ＤＬ構成におけるそれぞれの送信（reporting）サブフレームに関する上りリンク送信（reporting）アソシエーションは、分配領域１５５１ｂ内のサブフレーム１５２３の間に分配される。例えば、構成ｔｈｒｅｅ１５４１ｄにおいて、サブフレーム５、６、７、８、９、０および１からの可能なアソシエーション１５４９は、分配領域１５５１ｂ内のサブフレーム１５２３ｄの間でバランスが取られ、サブフレーム５、６、７および８は、第１の分配領域１５５１ｂ内でバランスが取られ、サブフレーム９、０および１は、第２の分配領域１５５１ｂ内でバランスが取られる。以下の表２０は、それぞれのＵＬ−ＤＬ構成に関する分配マッピング・アソシエーションの一例をまとめる。
【０２１４】
【表２０】
2014528658.tif 000022
【０２１５】
図１６は、他の構成１６４１ａ〜ｂ、１６４１ｄ〜ｇに適用される、構成ｔｗｏ１６４１ｃのためのより均等な分配マッピング・アプローチの一例を示すダイアグラムである。便宜上、分配領域マッピングに基づいて追加された可能なアソシエーション１６４９は、実線で示される。サブフレーム番号１６３９は、対応するサブフレーム１６２３を示す。この例では、２つの分配領域１６５１ｃが構成ｔｗｏ１６４１ｃに対応する。構成ｔｗｏ１６４１ｃのための第１の分配領域１６５１ｃは、上りリンク・サブフレーム２を含み、構成ｔｗｏ１５４１ｃのための第２の分配領域１６５１ｃは、上りリンク・サブフレーム７を含む。構成ｔｗｏ１６４１ｃ（例えば、参照構成）において、サブフレーム４、５、６、８、９、０、１および３からの可能なアソシエーション１６４９は、第１の分配領域１６５１ｃおよび第２の分配領域１６５１ｃ内のサブフレーム１６２３ｃの間に分配される。図１６に示されるように、それぞれのＵＬ−ＤＬ構成におけるそれぞれの送信（reporting）サブフレームに関する上りリンク送信（reporting）アソシエーションは、分配領域１６５１ｂ内のサブフレーム１６２３の間に分配される。例えば、構成ｔｈｒｅｅ１６４１ｄにおいて、サブフレーム５、６、７、８、９、０および１からの可能なアソシエーション１６４９は、分配領域１６５１ｃ内のサブフレーム１６２３ｄの間でバランスが取られ、サブフレーム５、６、７および８は、第１の分配領域１６５１ｃ内でバランスが取られ、サブフレーム９、０および１は、第２の分配領域１６５１ｃ内でバランスがとられる。下の表２１は、それぞれのＵＬ−ＤＬ構成に関する分配マッピング・アソシエーションの一例をまとめる。
【０２１６】
【表２１】
2014528658.tif 000023
【０２１７】
図１７は、他の構成１７４１ａ〜ｃ、１７４１ｅ〜ｇに適用される、構成ｔｈｒｅｅ１７４１ｃのためのより均等な分配マッピング・アプローチの一例を示すダイアグラムである。便宜上、分配領域マッピングに基づいて追加された可能なアソシエーション１７４９は、実線で示される。サブフレーム番号１７３９は、対応するサブフレーム１７２３を示す。この例では、１つの分配領域１７５１ｄが構成ｔｈｒｅｅ１７４１ｄに対応する。構成ｔｈｒｅｅ１７４１ｄのための第１の分配領域１７５１ｄは、上りリンク・サブフレーム２、３および４を含む。構成ｔｈｒｅｅ１７４１ｄ（例えば、参照構成）において、サブフレーム１、５、６、７、８、９および０からの可能なアソシエーション１７４９は、第１の分配領域１７５１ｄ内のサブフレーム１７２３ｄの間に分配される。図１７に示されるように、それぞれのＵＬ−ＤＬ構成におけるそれぞれの送信（reporting）サブフレームに関する上りリンク送信（reporting）アソシエーションは、分配領域１７５１ｄ内のサブフレーム１７２３の間に分配される。例えば、構成ｔｗｏ１７４１ｃにおいて、サブフレーム１、３、４、５、６、８、９および０からの可能なアソシエーション１７４９は、分配領域１７５１ｄ内のサブフレーム１７２３ｄの間でバランスが取られる。表２２は、それぞれのＵＬ−ＤＬ構成に関する分配マッピング・アソシエーションの一例をまとめる。
【０２１８】
【表２２】
2014528658.tif 000024
【０２１９】
図１８は、他の構成１８４１ａ〜ｄ、１８４１ｆ〜ｇに適用される、構成ｆｏｕｒ１８４１ｅのためのより均等な分配マッピング・アプローチの一例を示すダイアグラムである。便宜上、分配領域マッピングに基づいて追加された可能なアソシエーション１８４９は、実線で示される。サブフレーム番号１８３９は、対応するサブフレーム１８２３を示す。この例では、分配領域１８５１ｅが構成ｆｏｕｒ１８４１ｅに対応する。構成ｆｏｕｒ１８４１ｅのための第１の分配領域１８５１ｅは、上りリンク・サブフレーム２および３を含む。構成ｆｏｕｒ１８４１ｅ（例えば、参照構成）において、サブフレーム０、１、４、５、６、７、８および９からの可能なアソシエーション１８４９は、第１の分配領域１８５１ｅ内のサブフレーム１８２３ｅの間に分配される。図１８に示されるように、それぞれのＵＬ−ＤＬ構成におけるそれぞれの送信（reporting）サブフレームに関する上りリンク送信（reporting）アソシエーションは、分配領域１８５１ｅ内のサブフレーム１８２３の間に分配される。下の表２３は、それぞれのＵＬ−ＤＬ構成に関する分配マッピング・アソシエーションの一例をまとめる。
【０２２０】
【表２３】
2014528658.tif 000025
【０２２１】
図１９は、他の構成１９４１ａ〜ｅ、１９４１ｇに適用される、構成ｆｉｖｅ１９４１ｆのためのより均等な分配マッピング・アプローチの一例を示すダイアグラムである。便宜上、分配領域マッピングに基づいて追加された可能なアソシエーション１９４９は、実線で示される。サブフレーム番号１９３９は、対応するサブフレーム１９２３を示す。この例では、１つの分配領域１９５１ｆが構成ｆｉｖｅ１９４１ｆに対応する。構成ｆｉｖｅ１９４１ｆのための第１の分配領域１９５１ｆは、上りリンク・サブフレーム２を含む。構成ｆｉｖｅ１９４１ｆ（例えば、参照構成）において、サブフレーム９、０、１、３、４、５、６、７および８からの可能なアソシエーション１９４９は、第１の分配領域１９５１ｆ内のサブフレーム１９２３ｆの間に分配される。図１９に示されるように、それぞれのＵＬ−ＤＬ構成におけるそれぞれの送信（reporting）サブフレームに関する上りリンク送信（reporting）アソシエーションは、分配領域１９５１ｆ内のサブフレーム１９２３の間に分配される。下の表２４は、それぞれのＵＬ−ＤＬ構成に関する分配マッピング・アソシエーションの一例をまとめる。
【０２２２】
【表２４】
2014528658.tif 000026
【０２２３】
図２０は、他の構成２０４１ａ〜ｆに適用される、構成ｓｉｘ２０４１ｇのためのより均等な分配マッピング・アプローチの一例を示すダイアグラムである。便宜上、分配領域マッピングに基づいて追加された可能なアソシエーション２０４９は、実線で示される。サブフレーム番号２０３９は、対応するサブフレーム２０２３を示す。この例では、２つの分配領域２０５１ｇが構成ｓｉｘ２０４１ｇに対応する。構成ｓｉｘ２０４１ｇのための第１の分配領域２０５１ｇは、上りリンク・サブフレーム２、３および４を含み、構成ｓｉｘ２０４１ｇのための第２の分配領域２０５１ｇは、上りリンク・サブフレーム７および８を含む。構成ｓｉｘ２０４１ｇ（例えば、参照構成）において、サブフレーム５、６、９、０および１からの可能なアソシエーション２０４９は、第１の分配領域２０５１ｇおよび第２の分配領域２０５１ｇ内のサブフレーム２０２３ｇの間に分配される。図２０に示されるように、それぞれのＵＬ−ＤＬ構成におけるそれぞれの送信（reporting）サブフレームに関する上りリンク送信（reporting）アソシエーションは、分配領域２０５１ｇ内のサブフレーム２０２３の間に分配される。例えば、構成ｔｈｒｅｅ２０４１ｄにおいて、サブフレーム５、６、７、８、９、０および１からの可能なアソシエーション２０４９は、分配領域２０５１ｇ内のサブフレーム２０２３ｄの間でバランスが取られ、サブフレーム５、６および７は、第１の分配領域２０５１ｇ内でバランスが取られ、サブフレーム８、９、０および１は、第２の分配領域２０５１ｇ内でバランスが取られる。表２５は、それぞれのＵＬ−ＤＬ構成に関する分配マッピング・アソシエーションの一例をまとめる。
【０２２４】
【表２５】
2014528658.tif 000027
【０２２５】
図２１は、本明細書に開示されるシステムおよび方法に従って参照セルとして用いられる、２つの新しいスーパーセット上り下りリンク（ＵＬ−ＤＬ）構成を示すダイアグラムである。いくつかの場合、用いられる上りリンク・サブフレームの数を増加させるのが有利である。例えば、上りリンク・サブフレームの数の増加は、上りリンク送信（reporting）ペイロードのサイズを低減する。
【０２２６】
一構成において、上りリンク・サブフレームの数は、いくつかまたはすべてのセルからの上りリンク・サブフレームの組み合わせを用いることによって増加する。特定のサブフレームの間に、複数のセルが上りリンク・サブフレームを含む場合、最小Ｃｅｌｌ＿ＩＤを持つセルにおける上りリンク・サブフレームが用いられる。例えば、ＰＣｅｌｌ（例えば、Ｃｅｌｌ＿ＩＤ＝０）の上りリンク・サブフレームが１つ以上のＳＣｅｌｌの上りリンク・サブフレームと組み合わされる。この例では、ＰＣｅｌｌが、ＰＣｅｌｌの上りリンク・サブフレーム用の上りリンク送信（reporting）セルであり、（例えば、特定のサブフレームに対して最小Ｃｅｌｌ＿ＩＤを持つ）ＳＣｅｌｌが、ＰＣｅｌｌでの下りリンク・サブフレームの間に発生する任意の上りリンク・サブフレーム用の上りリンク送信（reporting）セルである。例として、構成２および構成３が両方ともに用いられる場合、上りリンク・サブフレームの数を増加させるために構成２および構成３が組み合わされる。例として、構成３を持つセルは、サブフレーム３、４および５のための上りリンク送信（reporting）セルとして用いられ、構成２を持つセルは、サブフレーム７のための上りリンク送信（reporting）セルとして用いられる。
【０２２７】
異なるＵＬ−ＤＬ構成からの上りリンク・サブフレームの組み合わせは、１つ以上のスーパーセットＵＬ−ＤＬ構成をもたらす。例えば、構成ｔｗｏおよび構成ｔｈｒｅｅからの上りリンク・サブフレームが、構成ｔｗｏ＋ｔｈｒｅｅ２１４１ｈ（例えば、“２＋３”）と呼ばれるスーパーセットＵＬ−ＤＬ構成を形成するために組み合わされる。別の例では、構成ｔｗｏおよび構成ｆｏｕｒからの上りリンク・サブフレームが、構成ｔｗｏ＋ｆｏｕｒ２１４１ｉ（例えば、“２＋４”）と呼ばれるスーパーセットＵＬ−ＤＬ構成を形成するために組み合わされる。いくつかの場合、スーパーセットＵＬ−ＤＬ構成は、参照構成として用いられる。一構成において、参照セルは、参照構成としてスーパーセットＵＬ−ＤＬ構成（例えば、構成２＋３、構成２＋４）を有する。別の構成では、上りリンク・送信（reporting）・セルの組み合わせがスーパーセットＵＬ−ＤＬ構成（例えば、構成２＋３、構成２＋４）を実現する。例として、構成２を有する第１の上りリンク送信（reporting）セルからの上りリンク・サブフレーム、および構成３を有する第２の上りリンク送信（reporting）セルからの上りリンク・サブフレームが、スーパーセット参照構成（例えば、構成２＋３）を実現するために組み合わされる。一構成において、第１の上りリンク送信（reporting）セルも第２の上りリンク送信（reporting）セルも参照セルである。別の構成では、参照セルが、サブフレームに基づいて切り替えられる。例として、いくつかのサブフレームでは構成３を持つセルが参照セルであり、その後、いくつかのサブフレームでは参照セルが構成２を持つセルに切り替えられる。
【０２２８】
構成ｔｗｏ＋ｔｈｒｅｅ２１４１ｈおよび構成ｔｗｏ＋ｆｏｕｒ２１４１ｉは、参照構成として、本明細書に記載されるすべてのシステムおよび方法に用いられる。例えば、アソシエーション領域マッピングが、構成ｔｗｏ＋ｔｈｒｅｅ２１４１ｈおよび構成ｔｗｏ＋ｆｏｕｒ２１４１ｉに基づく。別の例では、より均等な分配マッピングは、構成ｔｗｏ＋ｔｈｒｅｅ２１４１ｈおよび構成ｔｗｏ＋ｆｏｕｒ２１４１ｉに基づく。
【０２２９】
構成ｔｗｏ＋ｔｈｒｅｅ２１４１ｈおよび構成ｔｗｏ＋ｆｏｕｒ２１４１ｉが図２１に示される。便宜上、アソシエーション領域マッピングに基づいて追加された可能なアソシエーション２１４５は、破線で示される。サブフレーム番号２１３９は、対応するサブフレーム２１２３を示す。構成ｔｗｏ＋ｔｈｒｅｅ２１４１ｈは、４つのアソシエーション領域２１４７ｈを含む。構成ｔｗｏ＋ｔｈｒｅｅ２１４１ｈのための第１のアソシエーション領域２１４７ｈは、サブフレーム３、４および５を含み、次の無線フレームにおける上りリンク・サブフレーム２へのアソシエーション・マッピングを含む。サブフレーム３、４および５から上りリンク・サブフレーム２へのアソシエーションは、構成ｔｗｏ＋ｔｈｒｅｅ２１４１ｈのための新しいアソシエーション・マッピング２１４５である。
【０２３０】
構成ｔｗｏ＋ｔｈｒｅｅ２１４１ｈのための第２のアソシエーション領域２１４７ｈは、サブフレーム６および７を含み、次の無線フレームにおける上りリンク・サブフレーム３へのアソシエーション・マッピングを含む。サブフレーム６および７から上りリンク・サブフレーム３へのアソシエーション・マッピングは、構成ｔｗｏ＋ｔｈｒｅｅ２１４１ｈのための新しいアソシエーション・マッピング２１４５である。
【０２３１】
構成ｔｗｏ＋ｔｈｒｅｅ２１４１ｈのための第３のアソシエーション領域２１４７ｈは、サブフレーム８および９を含み、次の無線フレームにおける上りリンク・サブフレーム４へのアソシエーション・マッピングを含む。サブフレーム８および９から上りリンク・サブフレーム４へのアソシエーションは、構成ｔｗｏ−ｔｈｒｅｅ２１４１ｈのための新しいアソシエーション・マッピング２１４５である。
【０２３２】
構成ｔｗｏ＋ｔｈｒｅｅ２１４１ｈのための第４のアソシエーション領域２１４７ｈは、サブフレーム０および１を含み、現在の無線フレームにおける上りリンク・サブフレーム７へのアソシエーション・マッピングを含む。サブフレーム０および１から上りリンク・サブフレーム７へのアソシエーションは、構成ｔｗｏ＋ｔｈｒｅｅ２１４１ｈのための新しいアソシエーション・マッピング２１４５である。
【０２３３】
構成ｔｗｏ＋ｆｏｕｒ２１４１ｉは、３つのアソシエーション領域２１４７ｉを含む。構成ｔｗｏ＋ｆｏｕｒ２１４１ｉのための第１のアソシエーション領域２１４７ｉは、サブフレーム３、４および５を含み、次の無線フレームにおける上りリンク・サブフレーム２へのアソシエーション・マッピングを含む。サブフレーム３、４および５から上りリンク・サブフレーム２へのアソシエーションは、構成ｔｗｏ＋ｆｏｕｒ２１４１ｉのための新しいアソシエーション・マッピング２１４５である。
【０２３４】
構成ｔｗｏ＋ｆｏｕｒ２１４１ｉのための第２のアソシエーション領域２１４７ｉは、サブフレーム６、７および８を含み、次の無線フレームにおける上りリンク・サブフレーム３へのアソシエーション・マッピングを含む。サブフレーム６、７および８から上りリンク・サブフレーム３へのアソシエーション・マッピングは、構成ｔｗｏ＋ｆｏｕｒ２１４１ｉのための新しいアソシエーション・マッピング２１４５である。
【０２３５】
構成ｔｗｏ＋ｆｏｕｒ２１４１ｉのための第３のアソシエーション領域２１４７ｉは、サブフレーム９、０および１を含み、上りリンク・サブフレーム７へのアソシエーション・マッピングを含む。サブフレーム９、０および１から上りリンク・サブフレーム７へのアソシエーションは、構成ｔｗｏ−ｆｏｕｒ２１４１ｉのための新しいアソシエーション・マッピング２１４５である。
【０２３６】
図２２は、構成ｔｗｏ＋ｔｈｒｅｅ２２４１ｈのためのアソシエーション領域を他の上り下りリンク（ＵＬ−ＤＬ）構成２２４１ａ〜ｇに対してより具体的に示す。例えば、他のＵＬ−ＤＬ構成２２４１ａ〜ｇに適用される、図２２に示されるアソシエーション領域２２４７ｈは、図２１に示されるアソシエーション領域２１４７ｈと同じである。図２２における構成２２４１ａ〜ｈは、対応するサブフレーム番号２２３９ａ〜ｈを持つサブフレーム２２２３ａ〜ｈとして示される。下の表２６は、異なるＵＬ−ＤＬ構成のアグリゲートされた上りリンク送信（reporting）のための構成ｔｗｏ＋ｔｈｒｅｅ２２４１ｈ（例えば、参照構成）に関する可能なアソシエーション２２４５を示す。
【０２３７】
【表２６】
2014528658.tif 000028
【０２３８】
表２６にリストされる可能なアソシエーションは、図２１に関して前述された構成ｔｗｏ＋ｔｈｒｅｅ２２４１ｈのためのアソシエーション領域からの上りリンク送信（reporting）を可能にする。例えば、構成ｔｗｏ＋ｔｈｒｅｅ２２４１ｈのための第１のアソシエーション領域２２４７ｈは、構成ｏｎｅ２２４１ｂ、構成ｔｗｏ２２４１ｃ、構成ｆｏｕｒ２２４１ｅおよび構成ｆｉｖｅ２２４１ｆのための追加の下りリンク・サブフレーム（例えば、サブフレーム３および４）を取り込む。図示されるように、構成ｔｗｏ＋ｔｈｒｅｅ２２４１ｈのためのアソシエーション領域２２４７ｈは、他のＵＬ−ＤＬ構成２２４１ａ〜ｇのいずれかの上りリンク送信（reporting）を可能にする。
【０２３９】
図２３は、他の構成２３４１ａ〜ｄに適用される、構成ｔｗｏ＋ｔｈｒｅｅ２３４１ｈのためのより均等な分配マッピング・アプローチの一例を示すダイアグラムである。便宜上、分配領域マッピングに基づいて追加された可能なアソシエーション２３４９は、実線で示される。サブフレーム番号２３３９は、対応するサブフレーム２３２３を示す。この例では、２つの分配領域２３５１ｂが構成ｔｗｏ＋ｔｈｒｅｅ２３４１ｈに対応する。構成ｔｗｏ＋ｔｈｒｅｅ２３４１ｈのための第１の分配領域２３５１ｈは、上りリンク・サブフレーム２、３および４を含み、構成ｔｗｏ＋ｔｈｒｅｅ２３４１ｈのための第２の分配領域２３５１ｈは、上りリンク・サブフレーム７を含む。分配領域２３５１ｈは、構成ｔｗｏ＋ｔｈｒｅｅ２３４１ｈ（例えば、参照構成）に基づく。図２３に示されるように、それぞれのＵＬ−ＤＬ構成におけるそれぞれの送信（reporting）サブフレームに関する上りリンク送信（reporting）アソシエーションは、分配領域２３５１ｈ内のサブフレーム２３２３の間に分配される。例えば、構成ｔｈｒｅｅ２３４１ｄにおいて、サブフレーム５、６、７、８、９、０および１からの可能なアソシエーション２３４９は、分配領域２３５１ｈ内のサブフレーム２３２３ｄの間でバランスが取られ、サブフレーム５、６、７、８および９は、第１の分配領域２３５１ｈ内でバランスが取られ、サブフレーム０および１は、第２の分配領域２３５１ｈ内でバランスが取られる。
【０２４０】
図２４は、図２３に提示される例をさらに示すダイアグラムである。より具体的には、図２４は、他の構成２４４１ｅ〜ｇに適用される、構成ｔｗｏ＋ｔｈｒｅｅ２４４１ｈのためのより均等な分配マッピング・アプローチの一例を示す。便宜上、分配領域マッピングに基づいて追加された可能なアソシエーション２４４９は、実線で示される。サブフレーム番号２４３９は、対応するサブフレーム２４２３を示す。この例では、２つの分配領域２４５１ｈが前述のように構成ｔｗｏ＋ｔｈｒｅｅ２３４１ｈに対応する。図２４に示されるように、それぞれのＵＬ−ＤＬ構成におけるそれぞれの送信（reporting）サブフレームに関する上りリンク送信（reporting）アソシエーションは、前述のように分配領域２４５１ｈ内のサブフレーム２４２３の間に分配される。下の表２７は、それぞれのＵＬ−ＤＬ構成に関する分配マッピング・アソシエーションの一例をまとめる。表２７は、図２３および２４におけるダイアグラムに対応する。
【０２４１】
【表２７】
2014528658.tif 000029
【０２４２】
図２５は、構成ｔｗｏ＋ｆｏｕｒ２５４１ｉのためのアソシエーション領域を他の上り下りリンク（ＵＬ−ＤＬ）構成２５４１ａ〜ｇに対してより具体的に示す。例えば、他のＵＬ−ＤＬ構成２５４１ａ〜ｇに適用される、図２５に示されるアソシエーション領域２５４７ｉは、図２１に示されるアソシエーション領域２１４７ｉと同じである。図２５における構成２５４１ａ〜ｇ、２５４１ｉは、対応するサブフレーム番号２５３９ａ〜ｇ、２５３９ｉを持つサブフレーム２５２３ａ〜ｇ、２５２３ｉとして示される。下の表２８は、異なるＵＬ−ＤＬ構成のアグリゲートされた上りリンク送信（reporting）のための構成ｔｗｏ＋ｆｏｕｒ２５４１ｉ（例えば、参照構成）に関する可能なアソシエーション２５４５を示す。
【０２４３】
【表２８】
2014528658.tif 000030
【０２４４】
表２８にリストされる追加されたアソシエーションは、図２１に関して前述された構成ｔｗｏ＋ｆｏｕｒ２５４１ｉのためのアソシエーション領域からの上りリンク送信（reporting）を可能にする。例えば、構成ｔｗｏ＋ｆｏｕｒ２５４１ｉのための第１のアソシエーション領域２５４７ｉは、構成ｔｈｒｅｅ２５４１ｄおよび構成ｆｉｖｅ２５４１ｆのための追加の下りリンク・サブフレーム（例えば、サブフレーム３）を取り込む。図示されるように、ｔｗｏ＋ｆｏｕｒ２５４１ｉのためのアソシエーション領域２５４７ｉは、他のＵＬ−ＤＬ構成のいずれかの上りリンク送信（reporting）を可能にする。
【０２４５】
図２６は、他の構成２６４１ａ〜ｇに適用される、構成ｔｗｏ＋ｆｏｕｒ２６４１ｉのためのより均等な分配マッピング・アプローチの一例を示すダイアグラムである。便宜上、分配領域マッピングに基づいて追加された可能なアソシエーション２６４９は、実線で示される。サブフレーム番号２６３９は、対応するサブフレーム２６２３を示す。この例では、２つの分配領域２６５１ｉが構成ｔｗｏ＋ｆｏｕｒ２６４１ｉに対応する。構成ｔｗｏ＋ｆｏｕｒ２６４１ｉのための第１の分配領域２６５１ｉは、上りリンク・サブフレーム２および３を含み、構成ｔｗｏ＋ｆｏｕｒ２６４１ｉのための第２の分配領域２６５１ｉは、上りリンク・サブフレーム７を含む。分配領域２６５１ｉは、構成ｔｗｏ＋ｆｏｕｒ２６４１ｉ（例えば、参照構成） に基づく。図２６に示されるように、それぞれのＵＬ−ＤＬ構成におけるそれぞれの送信（reporting）サブフレームに関する上りリンク送信（reporting）アソシエーションは、分配領域２６５１ｉ内のサブフレーム２６２３の間に分配される。例えば、構成ｔｈｒｅｅ２６４１ｄにおいて、サブフレーム５、６、７、８、９、０および１からの可能なアソシエーション２６４９は、分配領域２６５１ｉ内のサブフレーム２６２３ｄの間に分配され、サブフレーム５、６、７および８は、第１の分配領域２６５１ｉ内に分配され、サブフレーム９、０および１は、第２の分配領域２６５１ｉ内に分配される。
【０２４６】
図２７は、図２６に提示された例をさらに示すダイアグラムである。より具体的には、図２７は、他のＵＬ−ＤＬ構成２７４１ｅ〜ｇに適用される、構成ｔｗｏ＋ｆｏｕｒ２７４１ｉのためのより均一な分配マッピング・アプローチの例を示す。便宜上、分配領域マッピングに基づいて追加された可能なアソシエーション２７４９は、実線で示される。サブフレーム番号２７３９は、対応するサブフレーム２７２３を示す。この例では、２つの分配領域２７５１ｉが前述のように構成ｔｗｏ＋ｆｏｕｒ２７４１ｉに対応する。図２７に示されるように、それぞれのＵＬ−ＤＬ構成におけるそれぞれの送信（reporting）サブフレームに関する上りリンク送信（reporting）アソシエーションは、前述のように分配領域２７５１ｉ内のサブフレーム２７２３の間に分配される。下の表２９は、それぞれのＵＬ−ＤＬ構成に関する分配マッピング・アソシエーションの一例をまとめる。表２９は、図２６および２７におけるダイアグラムに対応する。
【０２４７】
【表２９】
2014528658.tif 000031
【０２４８】
図２８は、ＵＥ１０２において参照セルを選択するための方法２８００の一構成を示すフロー・ダイアグラムである。ＵＥ１０２は、最短周期を持つ少なくとも１つのセルを確定する（ステップ２８０２）。例えば、前述のように、いくつかのＵＬ−ＤＬ構成は５ｍｓ周期を有し、いくつかのＵＬ−ＤＬ構成は１０ｍｓ周期を有する。いくつかのセルが５ｍｓ周期を有し、いくつかのセルが１０ｍｓ周期を有する場合には、最短周期を持つセルは、５ｍｓ周期を持つセルである。すべてのセルが１０ｍｓ周期を有する場合には、最短周期を持つセルは、１０ｍｓ周期を持つセルであろう。すべてのセルが５ｍｓ周期を有する場合には、最短周期を持つセルは、５ｍｓ周期を持つセルである。
【０２４９】
ＵＥ１０２は、最短周期を持つ１つより多いセルがあるかどうかを判定する（ステップ２８０４）。最短周期を持つ１つだけの（例えば、１つを超えない）セルがある場合には、ＵＥ１０２は、最短周期を持つそのセルを参照セルとして用いる（ステップ２８０６）（例えば、指定する）。最短周期を持つ１つより多いセルがある場合には、ＵＥ１０２は、最多上りリンク割当てを持つ少なくとも１つのセルを確定する（ステップ２８０８）。ＵＥ１０２は、最短周期を有すると確定された（ステップ２８０２）１つより多いセルの中から最多上りリンク割当てを持つセルを確定する（ステップ２８０８）。一構成において、ＵＥ１０２は、上りリンク・サブフレームの数を比較することによって、最多上りリンク割当てを持つ少なくとも１つのセルを確定する（ステップ２８０８）。例えば、構成０は、無線フレーム毎に６つの上りリンク・サブフレームを含み、構成６は、無線フレーム毎に５つの上りリンク・サブフレームを含む。この例では、構成０を持つセルと構成６を持つセルとの間で、構成０を持つセルが最多上りリンク割当てを有する。上りリンク割当てが多いほど、より多くの上りリンク・サブフレームの間にアソシエーションが分配されるので、最多上りリンク割当てを持つセルを選択するのが有利である。これは、上りリンク・サブフレーム当りの割当ての数を低減または最小化し、それによって上りリンク送信（reporting）ペイロードのサイズを低減することができる。
【０２５０】
ＵＥ１０２は、最多上りリンク割当てを持つ１つより多いセルがあるかどうかを判定する（ステップ２８１０）。最多上りリンク割当てを持つ１つだけの（例えば、１つを超えない）セルがある場合には、ＵＥ１０２は、最多上りリンク割当てを持つそのセルを参照セルとして用いる（ステップ２８１２）（例えば、指定する）。最長周期を持つ１つより多いセルがある場合には、ＵＥ１０２は、最小セル・インデックス（Ｃｅｌｌ＿ＩＤ）を持つセルを確定する（ステップ２８１４）。ＵＥ１０２は、最多上りリンク割当てを有すると確定された（ステップ２８０８）１つより多いセルの中から最小Ｃｅｌｌ＿ＩＤを持つセルを確定する（ステップ２８１４）。各セルは、Ｃｅｌｌ＿ＩＤを有する。従って、最小Ｃｅｌｌ＿ＩＤを持つセルは、Ｃｅｌｌ＿ＩＤ値を比較することによって確定される（ステップ２８１４）。ＵＥ１０２は、最小セル・インデックス（Ｃｅｌｌ＿ＩＤ）を持つセルを参照セルとして用いる（ステップ２８１６）（例えば、指定する）。
【０２５１】
一構成において、方法２８００は、各セルのＵＬ−ＤＬ構成に基づいて参照セルを選択する（例えば、セルまたはセルのＵＬ−ＤＬ構成に変化があるときにいつでも参照セルを選択する）ために用いられる。参照セルが一旦選択されると、参照セルは、上りリンクＡＣＫ／ＮＡＣＫ送信（reporting）をするために用いられる。別の構成において、方法２８００は、参照セルを選択して参照セル構成を決定するために用いられる。しかしながら、実際の上りリンク送信（reporting）は、いずれかのセルに発生する各上りリンク・サブフレームに基づく。例えば、ＰＣｅｌｌは、参照セル構成におけるいくつかの上りリンク・サブフレーム用の上りリンク送信（reporting）セルであるが、ＰＣｅｌｌが下りリンク・サブフレームを有するときにＳＣｅｌｌが上りリンク・サブフレームを含む場合には、最小Ｃｅｌｌ＿ＩＤを持つＳＣｅｌｌにおける上りリンク・サブフレームが、参照セル構成におけるその特定のサブフレーム用の上りリンク送信（reporting）セルとして選択される。
【０２５２】
図２９は、端末装置（ＵＥ）２９０２に利用される様々なコンポーネントを示す。ＵＥ２９０２は、上記のＵＥ１０２として利用されてもよい。ＵＥ２９０２は、ＵＥ２９０２の動作を制御するプロセッサ２９６３を含む。プロセッサ２９６３は、中央処理装置（ＣＰＵ：central processing unit）とも呼ばれる。メモリ２９６９は、リードオンリーメモリ（ＲＯＭ：read-only memory）、ランダムアクセスメモリ（ＲＡＭ：random access memory）、これら２つの組み合わせ、あるいは情報を格納する任意のタイプのデバイスを含み、プロセッサ２９６３に命令２９６５ａおよびデータ２９６７ａを与える。メモリ２９６９の一部分は、不揮発性ランダムアクセスメモリ（ＮＶＲＡＭ：non-volatile random access memory）も含んでもよい。命令２９６５ｂおよびデータ２９６７ｂは、プロセッサ２９６３にも存在する。プロセッサ２９６３に読み込まれた命令２９６５ｂおよび／またはデータ２９６７ｂは、プロセッサ２９６３による実行または処理のために読み込まれた、メモリ２９６９からの命令２９６５ａおよび／またはデータ２９６７ａを含んでもよい。命令２９６５ｂは、上記の方法２００および２８００の１つ以上を実装するためにプロセッサ２９６３によって実行される。
【０２５３】
ＵＥ２９０２は、データの送受信を可能にするために１つ以上の送信機２９５８および１つ以上の受信機２９２０が入った筺体も含む。送信機（単数または複数）２９５８および受信機（単数または複数）２９２０は、１つ以上のトランシーバ２９１８に組み合わされてもよい。１つ以上のアンテナ２９２２ａ〜ｎは、筺体に取り付けられて、トランシーバ２９１８に電気的に結合される。
【０２５４】
ＵＥ２９０２の様々なコンポーネントは、データバスに加えて、電力バス、制御信号バスおよびステータス信号バスを含むバスシステム２９７１によって一緒に結合される。しかしながら、明確にするために、図２９では様々なバスがバスシステム２９７１として示される。ＵＥ２９０２は、信号処理用のデジタル信号プロセッサ（ＤＳＰ：digital signal processor）２９７３を含むこともできる。ＵＥ２９０２は、ＵＥ２９０２の機能へのユーザ・アクセスを提供する通信インタフェース２９７５を含むこともできる。図２９に示されるＵＥ２９０２は、具体的なコンポーネントのリストではなく、機能ブロック・ダイアグラムである。
【０２５５】
図３０は、基地局装置（ｅＮＢ）３０６０に利用される様々なコンポーネントを示す。ｅＮＢ３０６０は、上記のｅＮＢ１６０として利用されてもよい。ｅＮＢ３０６０は、ｅＮＢ３０６０の動作を制御するプロセッサ３０７７を含む。プロセッサ３０７７は、中央処理装置（ＣＰＵ）とも呼ばれる。メモリ３０８３は、リードオンリーメモリ（ＲＯＭ）、ランダムアクセスメモリ（ＲＡＭ）、これら２つの組み合わせ、あるいは情報を格納する任意のタイプのデバイスを含み、プロセッサ３０７７に命令３０７９ａおよびデータ３０８１ａを与える。メモリ３０８３の一部分は、不揮発性ランダムアクセスメモリ（ＮＶＲＡＭ）を含んでもよい。命令３０７９ｂおよびデータ３０８１ｂは、プロセッサ３０７７にも存在する。プロセッサ３０７７に読み込まれた命令３０７９ｂおよび／またはデータ３０８１ｂは、プロセッサ３０７７による実行または処理のために読み込まれた、メモリ３０８３からの命令３０７９ａおよび／またはデータ３０８１ａを含んでもよい。命令３０７９ｂは、上記の方法３００を実装するためにプロセッサ３０７７によって実行される。
【０２５６】
ｅＮＢ３０６０は、データの送受信を可能にするために１つ以上の送信機３０１７および１つ以上の受信機３０７８が入った筺体を含むこともできる。送信機（単数または複数）３０１７および受信機（単数または複数）３０７８は、１つ以上のトランシーバ３０７６に組み合わされてもよい。１つ以上のアンテナ３０８０ａ〜ｎは、筺体に取り付けられ、トランシーバ３０７６に電気的に結合される。
【０２５７】
ｅＮＢ３０６０の様々なコンポーネントは、データバスに加えて、電力バス、制御信号バスおよびステータス信号バスを含むバスシステム３０８５によって一緒に結合される。しかしながら、明確にするために、図３０では様々なバスがバスシステム３０８５として示される。ｅＮＢ３０６０は、信号処理用のデジタル信号プロセッサ（ＤＳＰ）３０８７を含むこともできる。ｅＮＢ３０６０は、ｅＮＢ３０６０の機能へのユーザ・アクセスを提供する通信インタフェース３０８９を含むこともできる。図３０に示されるｅＮＢ３０６０は、具体的なコンポーネントのリストではなく、機能ブロック・ダイアグラムである。
【０２５８】
用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは、命令の形態の所望のプログラムコードまたはデータ構造を載せるか、または格納するために用いられ、コンピュータまたはプロセッサによってアクセスできる任意の他の媒体を備える。ディスク（disk）およびディスク（disc）は、本明細書では、コンパクトディスク（ＣＤ：compact disc）、レーザディスク（laser disc）、光ディスク（optical disc）、デジタルバーサタイルディスク（ＤＶＤ：digital versatile disc）、フロッピー（登録商標）ディスク（floppy disk）およびＢｌｕ−ｒａｙ（登録商標）ディスク（disc）を含み、ディスク（disk）は、通常、磁気的にデータを再生し、一方でディスク（disc）は、レーザを用いて光学的にデータを再生する。
【０２５９】
留意すべきは、本明細書に記載される方法の１つ以上が、ハードウェアで実装されてもよく、および／またはハードウェアを用いて実行されてもよいことである。例えば、本明細書に記載される方法の１つ以上は、チップセット、特定用途向け集積回路（ＡＳＩＣ：application-specific integrated circuit）、大規模集積回路（ＬＳＩ：large-scale integrated circuit）または集積回路などで実装されてもよく、および／またはそれらを用いて実現されてもよい。
【０２６０】
本明細書に開示されるそれぞれの方法は、記載される方法を達成するための１つ以上のステップまたは動作を備える。本方法のステップおよび／または動作は、特許請求の範囲から逸脱することなく、相互に交換されても、および／または単一のステップに組み合わされてもよい。言い換えれば、記載される方法の適切な操作のために、ステップまたは動作の特定の順序が必要とされない限り、特許請求の範囲から逸脱することなく、特定のステップおよび／または動作の順序および／または使用が修正されてもよい。
【０２６１】
理解すべきは、特許請求の範囲が上記に説明された通りの構成およびコンポーネントには限定されないことである。特許請求の範囲から逸脱することなく、本明細書に記載される配置、操作、ならびにシステム、方法、および装置の詳細に様々な修正、変更および変形がなされてもよい。
【図１】
2014528658.tif 000032
【図２】
2014528658.tif 000033
【図３】
2014528658.tif 000034
【図４】
2014528658.tif 000035
【図５】
2014528658.tif 000036
【図６】
2014528658.tif 000037
【図７】
2014528658.tif 000038
【図８】
2014528658.tif 000039
【図９】
2014528658.tif 000040
【図１０】
2014528658.tif 000041
【図１１】
2014528658.tif 000042
【図１２】
2014528658.tif 000043
【図１３】
2014528658.tif 000044
【図１４】
2014528658.tif 000045
【図１５】
2014528658.tif 000046
【図１６】
2014528658.tif 000047
【図１７】
2014528658.tif 000048
【図１８】
2014528658.tif 000049
【図１９】
2014528658.tif 000050
【図２０】
2014528658.tif 000051
【図２１】
2014528658.tif 000052
【図２２】
2014528658.tif 000053
【図２３】
2014528658.tif 000054
【図２４】
2014528658.tif 000055
【図２５】
2014528658.tif 000056
【図２６】
2014528658.tif 000057
【図２７】
2014528658.tif 000058
【図２８】
2014528658.tif 000059
【図２９】
2014528658.tif 000060
【図３０】
2014528658.tif 000061
【国際調査報告】
2014528658.tif 000062
2014528658.tif 000063